(57)【要約】      （修正有）【課題】情報信号の二方向組み合わせを伝搬させるための装置および方法を提供する。【解決手段】ＡＳＫ（振幅偏移変調）およびまたはＦＳＫ（周波数偏移変調）信号は、ＣＰＵ１０５を通して、送信、受信、および／または交換される。伝搬信号は、データ、コード、制御、コマンド、警報、緊急、問い合わせ、報告、応答およびそれらの組み合わせを含む。ＡＳＫおよびまたはＦＳＫ信号は、場合によっては、デジタルオーディオおよびまたはデジタルビデオ信号、他のＡＳＫ、ＦＳＫ情報およびまたは通信信号ならびにそれらの任意の組み合わせをさらに含む。ＣＰＵ１０５は、ＡＳＫ変調−復調回路１０３の端子１１５、１１６を介して、二方向ＡＳＫ変調信号を、さらにＦＳＫ／ビデオセレクタ１０４およびＦＳＫ変調−復調回路１０２を介して、ＦＳＫ変調信号を伝搬させる。【選択図】図１Ａ
2018014112.tif 000002
【特許請求の範囲】
【請求項１】
第１及び第２の回路であって、各々が複数の双方向情報信号を同時に交換するための少なくとも１つのツイストペアの配線の端部を終端し、各双方向情報信号は、端末とサーバとの間で別個の異なる周波数であり、前記第１の回路は、前記端末の回路であり、前記第２の回路は前記第１の回路に対して相補的な回路であって前記サーバにリンク付けされ、
前記第１及び第２の回路は、均等／不均等及び差動信号プロセッサのうちの１つを介して前記ツイストペアの配線を終端し、前記回路の各々は、２以上の双方向情報信号の少なくとも１つを個々に及び同時に変調及び復調し、前記双方向情報信号は、前記回路の各々のＣＰＵによって生成されたタイミングプロトコル及び同期信号によって同時に制御され、前記同期信号は、前記第１及び第２の回路のＣＰＵのＩ／Ｏポート間の前記双方向情報信号の少なくとも１つを介して交換され、
前記双方向情報信号の各々は、前記同時に伝搬された信号を各双方向情報信号のキャリア周波数に基づいて互いに分離するために、異なる変調媒体上に複数の高速キャリア周波数及び低速キャリア周波数のうちの１つでそれぞれ変調された、高速及び低速のうちの１つで別々に伝搬されるデータストリームの処理を行うことを特徴とする第１及び第２の回路。
【請求項２】
前記配線のツイストペアは、建物インフラストラクチャに含まれる内部通信線であり、
前記建物インフラストラクチャは、複数の前記端末に接続された複数の線を含み、前記線の各々は、前記配線のツイストペア、マルチコアケーブル、複数のツイストペアケーブル、アンテナケーブル、同軸ケーブル、シールドケーブル、光ファイバケーブル及びそれらの組み合わせを含むグループから選択され、
前記線は、前記建物のメインルータを介して前記サーバにリンク付けされ、前記双方向情報信号は、オーディオ信号、ビデオ信号、データ信号、コード信号、制御信号、コマンド信号、警報信号、緊急信号及びそれらの組み合わせを含むグループから選択され、
交換された前記タイミングプロトコル及び前記同期信号は、低速及び高速の少なくとも１つを介した各取引の方向及び各選択された動作のための前記取引されたデータストリームの各々の個々及び同時のタイミングのために、開始伝送、伝送開始、停止伝送、伝送停止、伝送の終わりにおける停止、伝送の終わり、現在の伝送の終わりにおける伝送の開始、現在受信している取引の終わりにおける伝送の開始、前記現在の取引の中断、中断された取引の終了、中断された取引の終わりにおける伝送の開始、中断された取引の再伝送、高速に切替えた開始伝送、低速に切替えた開始伝送及びそれらの組み合わせを含むグループから選択される動作のための、低速でのタイミングプロトコルの取引、高速でのタイミングプロトコルの取引及び自己タイミングの各速度での個々のタイミングプロトコルの取引を含むグループから選択されることを特徴とする請求項１に記載の第１及び第２の回路。
【請求項３】
前記端末は、ビデオインターフォンモニタ、テレビ受信機、ケーブルテレビ受信機、地上波テレビ受信機、セットトップボックス、ケーブルテレビボックス、テレビコンバータボックス、専用ボックス、専用端末及びそれらの組み合わせを含むグループから選択され、
前記サーバは、スタンドアロンサーバ、クラウドコンピューティングサーバ及びそれらの組み合わせを含むグループから選択され、電気信号、ＲＦ信号、光信号及びそれらの組み合わせを含むグループから選択される信号を交換するために、プライベートネットワーク、専用ネットワーク、公共ネットワーク、インターネット、仮想プライベートネットワーク（ＶＰＮ）及びそれらの組み合わせを含むグループから選択されるネットワークを介して通信することを特徴とする請求項１に記載の第１及び第２の回路。
【請求項４】
前記双方向情報信号のデータ信号及びコード信号のうちの少なくとも１つは、ローディング、アップグレード、更新、追加、変更、削除、ダウンロード及び全ての時間で中断されないそれらの組み合わせを含むグループから選択される中断されない動作のための高速データ信号であることを特徴とする請求項２に記載の第１及び第２の回路。
【請求項５】
前記高速双方向情報信号は、高速データ信号を伝搬するためのＦＳＫ変調高速周波数キャリアであり、前記低速双方向情報信号は、低速データ信号を伝搬するためのＡＳＫ変調低速周波数キャリアであり、前記低速信号の所定の双方向交換を含む前記動作を制御するためのデータ信号、コード信号、及びコマンド信号を含むことを特徴とする請求項４に記載の第１及び第２の回路。
【請求項６】
前記回路の両方は、前記少なくとも１つのツイストペアを介してオーディオ及び変調ビデオ信号を通信するための無極性アナログ回路をさらに備え、
前記第１の回路は、前記少なくとも１つのツイストペアとの無極性接続を提供するための無極性電力供給回路を介して電力供給されることを特徴とする請求項１に記載の第１及び第２の回路。
【請求項７】
前記建物の前記サーバは、サービスプロバイダ、商品プロバイダ、警告及びセキュリティプロバイダ、保険プロバイダ、支払いプロバイダ、金融プロバイダ、医療プロバイダ、高齢者介護プロバイダ、旅行及び輸送プロバイダ、エンターテインメント及びゲームプロバイダ、音楽及び映画プロバイダ並びにそれらの組み合わせを含むグループから選択される少なくとも１つのプロバイダの少なくとも１つのサーバを制御するための中央エンティティサーバによって管理される閉回路内に含まれることを特徴とする請求項２に記載の第１及び第２の回路。
【請求項８】
前記第１及び第２の回路のうちの少なくとも１つの前記ＣＰＵは、メモリを含み、前記少なくとも１つのプロバイダによって提供される商品及びサービスに関するデータ及びコンテンツを格納するメモリにリンク付けられ、
前記メモリは、前記データストリームを介して全ての時間で更新されることを特徴とする請求項７に記載の第１及び第２の回路。
【請求項９】
前記端末は、前記メモリに格納された前記商品及びサービスの少なくとも１つの品目を選択することによって品目の配送を通信し、前記少なくとも１つのプロバイダの前記少なくとも１つのサーバに前記少なくとも１つのツイストペア及び前記建物の前記サーバを通して配送詳細信号を伝搬するための前記閉回路内の端末であることを特徴とする請求項８に記載の第１及び第２の回路。
【請求項１０】
前記第１の回路は、全ての時間での更新を含むコマンドに応答するためのスタンバイ電力を維持することと、前記端末に関連付けられるか又はビルトインされた充電可能バッテリを充電するための電力を含むスタンバイ電力を維持するために電力を増加することと、の少なくとも１つのために十分な、制御されたＤＣ電流を有する前記ツイストペアと制御されたＤＣ電圧を有する第２のツイストペアとのうちの１つを介して電力供給されることを特徴とする請求項１又は６に記載の第１及び第２の回路。
【請求項１１】
端末の第１の回路とサーバにリンク付けられた相補的な第２の回路との間の配線の少なくとも１つのツイストペアを介して双方向情報信号を同時に交換するための方法であって、前記回路の両方が均等／不均等及び差動信号プロセッサのうちの１つを介して前記ツイストペアの配線を終端し、前記回路の各々は、２以上の双方向情報信号の少なくとも１つを個々に及び同時に変調及び復調し、
前記変調及び復調は、前記回路の各々のＣＰＵによって生成されたタイミングプロトコル及び同期信号によって同時に制御され、前記同期信号は、前記第１及び第２の回路のＣＰＵのＩ／Ｏポート間の前記双方向情報信号の少なくとも１つを介して交換され、前記方法は、
ａ．高速及び低速のうちの異なる１つで伝搬され、別個の異なる変調媒体によって高速及び低速キャリア周波数のうちの１つでそれぞれ変調された、前記双方向情報信号の各々のプロトコル及びデータストリームを取り引きするステップと、
ｂ．自己の取引速度及び他の異なる速度のうちの１つで交換された前記タイミングプロトコル及び前記同期信号によって同時に制御される前記異なる速度のうちの１つの少なくとも１つのデータストリームの前記取引によって前記取引されたストリームを制御するステップと、
ｃ．前記高速及び低速のうちの１つの少なくとも１つの方向において伝搬され、前記端末のメモリ内に格納された品目に関する取引の更新、変更及び削除のうちの少なくとも１つ中の少なくとも１つの取引されたストリームの中断されない動作のために前記ストリームを計時するステップと、
ｄ．前記キャリア周波数に基づいて複数の前記変調された情報信号から前記ストリームを分離するステップと、
を含むことを特徴とする方法。
【請求項１２】
前記配線のツイストペアは、建物インフラストラクチャに含まれる内部通信線であり、前記建物インフラストラクチャは、複数の前記端末に接続された複数の線を含み、前記線は、前記建物のメインルータを介して前記サーバにリンク付けされ、前記線の各々は、前記配線のツイストペア、マルチコアケーブル、複数のツイストペアケーブル、アンテナケーブル、同軸ケーブル、シールドケーブル、光ファイバケーブル及びそれらの組み合わせを含むグループから選択され、
前記情報信号は、オーディオ信号、ビデオ信号、データ信号、コード信号、制御信号、コマンド信号、警報信号、緊急信号及びそれらの組み合わせを含むグループから選択され、
交換された前記タイミングプロトコル及び前記同期信号は、低速及び高速の少なくとも１つを介した各取引の方向及び各選択された動作のための前記取引されたデータストリームの各々の個々及び同時のタイミングのために、開始伝送、伝送開始、停止伝送、伝送停止、伝送の終わりにおける停止、伝送の終わり、現在の伝送の終わりにおける伝送の開始、現在受信している取引の終わりにおける伝送の開始、前記現在の取引の中断、中断された取引の終了、中断された取引の終わりにおける伝送の開始、中断された取引の再伝送、高速に切替えた開始伝送、低速に切替えた開始伝送及びそれらの組み合わせを含むグループから選択される動作のための、低速でのタイミングプロトコルの取引、高速でのタイミングプロトコルの取引及び自己タイミングの各速度での個々のタイミングプロトコルの取引を含むグループから選択されることを特徴とする請求項１１に記載の方法。
【請求項１３】
前記端末は、ビデオインターフォンモニタ、テレビ受信機、ケーブルテレビ受信機、地上波テレビ受信機、セットトップボックス、ケーブルテレビボックス、テレビコンバータボックス、専用ボックス、専用端末及びそれらの組み合わせを含むグループから選択され、
前記サーバは、スタンドアロンサーバ、クラウドコンピューティングサーバ及びそれらの組み合わせを含むグループから選択され、電気信号、ＲＦ信号、光信号及びそれらの組み合わせを含むグループから選択される信号を交換するために、プライベートネットワーク、専用ネットワーク、公共ネットワーク、インターネット、仮想プライベートネットワーク（ＶＰＮ）及びそれらの組み合わせを含むグループから選択されるネットワークを介して通信することを特徴とする請求項１１に記載の方法。
【請求項１４】
前記情報信号のデータ信号及びコード信号のうちの少なくとも１つは、ローディング、アップグレード、更新、追加、変更、削除、ダウンロード及び全ての時間で中断されないそれらの組み合わせを含むグループから選択される中断されない動作のための高速データ信号であることを特徴とする請求項１２に記載の方法。。
【請求項１５】
前記高速双方向情報信号は、高速データ信号を伝搬するためのＦＳＫ変調高速周波数キャリアであり、前記低速双方向情報信号は、低速データ信号を伝搬するためのＡＳＫ変調低速周波数キャリアであり、前記低速信号の所定の双方向交換を含む前記動作を制御するためのデータ信号、コード信号、及びコマンド信号を含むことを特徴とする請求項１４に記載の方法。
【請求項１６】
前記第１及び第２の回路は、前記少なくとも１つのツイストペアを介してオーディオ及び変調ビデオ信号を通信するための無極性アナログ回路をさらに備え、
前記第１の回路は、前記少なくとも１つのツイストペアとの無極性接続を提供するための無極性電力供給回路を介して電力供給されることを特徴とする請求項１１に記載の方法。
【請求項１７】
前記サーバは、サービスプロバイダ、商品プロバイダ、警告及びセキュリティプロバイダ、保険プロバイダ、支払いプロバイダ、金融プロバイダ、医療プロバイダ、高齢者介護プロバイダ、旅行及び輸送プロバイダ、エンターテインメント及びゲームプロバイダ、音楽及び映画プロバイダ並びにそれらの組み合わせを含むグループから選択される少なくとも１つのプロバイダの少なくとも１つのサーバを制御するための中央エンティティサーバによって管理される閉回路内に含まれる建物サーバであることを特徴とする請求項１１に記載の方法。
【請求項１８】
前記第１及び第２の回路のうちの少なくとも１つの前記ＣＰＵは、メモリを含み、前記少なくとも１つのプロバイダによって提供される商品及びサービスに関するデータ及びコンテンツを格納するメモリにリンク付けられ、
前記メモリは、前記データストリームを介して全ての時間で更新されることを特徴とする請求項１７に記載の方法。
【請求項１９】
前記端末は、前記メモリに格納された前記商品及びサービスの少なくとも１つの品目を選択することによって品目の配送を通信し、前記少なくとも１つのプロバイダの前記少なくとも１つのサーバに前記少なくとも１つのツイストペア及び前記建物の前記サーバを通して配送詳細信号を伝搬するための前記閉回路内の端末であることを特徴とする請求項１８に記載の方法。
【請求項２０】
前記第１の回路は、全ての時間での更新を含むコマンドに応答するためのスタンバイ電力を維持することと、前記端末に関連付けられるか又はビルトインされた充電可能バッテリを充電するための電力を含むスタンバイ電力を維持するために電力を増加することと、の少なくとも１つのために十分な、制御されたＤＣ電流を有する前記ツイストペアと制御されたＤＣ電圧を有する第２のツイストペアとのうちの１つを介して電力供給されることを特徴とする請求項１１又は１６に記載の方法。
【発明の詳細な説明】
【技術分野】
【０００１】
本発明は、ｅショッピング回路およびプログラムを含む、専用ショッピング端末、ビデオインターフォンモニタ、セットトップボックス、およびケーブルテレビなどの電気器具にＤＣ電力を伝送する単一のツイストペアを介する、アナログおよびデジタル信号の組み合わせの伝搬に関する。
【背景技術】
【０００２】
現行または普及しているｅコマースは、購入者が、既知の検索エンジンを通して供給者を検索し、サービスであれ、または商品であれ、意図されたショッピングに対応するプレゼンテーションであると思われる既知または未知のウェブサイトを選択することを可能にする、与えられたパターンおよびプロセスで操作される。
【０００３】
潜在的な購入者は、ｅショップのウェブを識別し、関心のある品目を見つけると、自分自身の身元、自分のアドレス、および自分のクレジットカードを明らかにする次のプロセスに移らなければならず、その後、購入を実現することができる。
【０００４】
このプロセスは、例えば、食料雑貨製品などの迅速な配送のために、毎日または毎週繰り返されるショッピングにはふさわしくない、煩わしいプロセスである。
【０００５】
迅速な配送を必要とする人々にとって、上で説明された一般的なプロセスは、朝、彼らが朝食のためのミルクを必要としているのに、そのような注文が処理され、配送されるのに時間が長くかかりすぎる場合、ｅショップはｅ購入者の住居の近所に所在するコンビニエンスストアであり、地域配送を提供しているとしても、解決方法を提供することができない。
【０００６】
プロセスの改善に資するように、配送を提供するそのような近くのショップは、近所のリピータ購入者の詳細を保存することができ、購入者は、ショップのウェブサイトを迅速に呼び出すために、自分のＰＣのデスクトップ上にショップのＵＲＬアイコンを導入する。次に、ショップは、ショップサーバ内に記録された購入者およびそのクレジットカードを識別する、アクセスパスワードを購入者に提供する。そのような構成は、注文プロセスをより速やかに、より簡単にする。
【０００７】
顧客データの同様の記録および保存は、リピータ購入者に対してｅショッピングのプロセスを改善するために、大規模ショップ、スーパーマーケット、および百貨店によっても提供される。そのような対処は、ｅショッピングプロセスを改善するが、例えば、食品雑貨のショッピングおよび配送を効率的なプロセスに変えるのに必要とされる基盤を提供しない。
【０００８】
ｅショッピングの第１のハードルは、すべての上で説明されたｅショッピングプロセスおよび構成の中でも、購入者が、ショップのサーバを通して選択品を選択するために、ショップサーバからインターネットまたは他のＩＰネットワークを介して供給され、ＰＣ、スマートフォン、またはｉＰａｄスクリーン上に表示されたページを通して、製品またはサービスを選択することによって、ショップのウェブサイトを閲覧していかなければならないことである。
【０００９】
そのようなショップサーバは各々、ｅ購入者が覚えて、従わなければならない、独自のアーキテクチャ、カラー、スタイル、オペレーティングシステム、プログラミング、および処理方法を有する。したがって、ｅ購入者の詳細データがｅショップサーバ内に保存されているとしても、個々のｅショップ毎の独自仕様のプログラミングおよび異なるショッピングプロセスは、与えられたｅショップサーバを介してショッピングを行うのに費やされる時間を引き延ばす。
【００１０】
さらに、すべてのショッピングが単一のショップによって供給されることができず、２以上の別々のｅショップまたはｅサービス提供者に分割されなければならない場合、そのようなｅショッピングは、非常に気を遣う、時間のかかるｅショッピングプロセスを必要とする。したがって、上で与えられたミルクの例を拡張したような、ミルクとシリアルを２つの別々のｅショップから買い求めるための、食品雑貨についての組み合わされたショッピングは、複雑な操作になる。朝、朝食のために２つの異なるコンビニエンスストアに２つの品目を注文することは、購入者が迅速な配送を望み、期待しているのに、注文および配送に長い時間がかかりすぎる。
【００１１】
登録された閉回路内で動作する閉回路ショッピングシステムに併合される、サービスおよび商品についてのｅショッピングのための他の方法および装置は、米国特許（例えば、特許文献１、２、３、４を参照）、ならびに他の国々で発行されたおよび係属中の多くの対応する特許において開示されている。簡略化されたｅショッピングコード化のための方法および構造は、米国出願（例えば、特許文献５を参照）において開示されている。
【００１２】
開示された閉回路ｅショッピングは、ビデオインターフォンシステムのビデオインターフォンモニタなどのショッピング端末を介して、ならびにケーブルＴＶシステム、アンテナＴＶシステム、および専用ｅショッピング端末システムのショッピング回路を介して提供される。言及された出願（例えば、特許文献５を参照）は、上で言及されたショッピング回路によって処理されるｅショッピング信号についてのコード化を包含する。
【００１３】
２つのｅコマース方法、すなわち、普及しているｅショッピングと、上で言及された米国特許において開示されている閉回路ｅショッピングシステムとの間の基本的または根本的な相違は、以下の通りである。
ｉ．普及しているｅショッピングは、ショップのサーバを通して、オンラインで処理され、完遂される。
ｉｉ．閉回路ｅショッピングは、ショッピング端末それ自体を通して、オフラインで処理され、完遂される。
【００１４】
これは、登録されたｅショップのグループから選択された、事前設計および事前構成されたショッピングプログラムおよびコンテンツをインストールすることによって、ならびにそのようなプログラムおよびコンテンツをｅショッピング端末のｅショッピング回路のメモリ内にロードし、保存することによって可能にされる。保存されたコンテンツは、専用ｅショッピング端末のうちの１つのメモリからの、または上で言及されたＴＶのうちの１つのメモリからの、またはビデオインターフォンモニタのメモリからの呼び出しのために、住人によって選択された、事前構成または事前選択された製品を包含する。
【００１５】
それによって、閉回路ショッピングは、テンプレートを通して標準的なショッピング選択表示にパターン化される、保存されたデータの瞬時呼び出しを提供することによって、根本的に普及しているショッピングとは異なる。これは、製品およびサービスの選択のための習慣的に認識されているパターンを通した瞬時の習慣的ショッピングを可能にする。
【００１６】
各戸別に編成され、個々の住居各々のショッピング回路のメモリ内にインストールされる、カテゴリ、グループ、およびショップの表示はすべて、各住人によって選択されたショップ、カテゴリ、およびグループに基づいて、同一のテンプレートを介してパターン化される。住人は、製品および／またはサービスのカテゴリまたはグループを、ならびにどのショップから購入するかを決定し、選択する。選択されたショップ、カテゴリ、およびグループは、個々のショッピング端末のメモリにロードされ、そこに保存される。他のすべては、除外されるが、住人の気が変わった場合は、後日、メモリ内にインストールされることができる。
【００１７】
本発明の閉回路ショッピング装置は、ビデオインターフォンモニタ、専用ショッピング端末、ＴＶ、ケーブルＴＶ、および／またはセットトップボックス、ショッピングボックス、アダプタボックス、ケーブルＴＶボックス、アンテナボックス、コンバータボックスなどの、ＴＶおよびケーブルＴＶの付属品、ならびに／あるいはローカルネットワークを介して、および／または内部通信線、ＴＶケーブル線、もしくはＴＶアンテナ線を介して、建物全体もしくは近所全体にサービスするサーバを含む群から選択される。
【００１８】
閉回路ショッピングのショッピング端末は、検索エンジンを介したおよび様々なショップサーバを介した閲覧および検索によって時間を浪費することなく、住人によって選択されたように保存されたプログラムを通して選択および注文を行うことを可能にするために、事前定義されたショッピングプログラムおよびコンテンツを用いて事前インストールされたハードウェアおよびプログラムを含む。そのような事前プログラムされた閉回路ショッピングは、プログラムされた通りに迅速な配送を開始するためのインフラストラクチャを提供する。
【００１９】
迅速な配送は、参照出願（例えば、特許文献５を参照）において開示されている、建物内部または近所内にある、配送ステーションまたは配送ターミナルを介して提供される。
【００２０】
ｅサービスおよびｅ商品についての検索は、ショッピングを処理するために、ビデオインターフォンモニタ、専用ショッピング端末、ＴＶ、またはケーブルＴＶのディスプレイを使用する、インストールされたプログラムページによって生成された表示を通して伝えられる。
【００２１】
完全なショッピングプログラムおよびコンテンツのショッピング端末への導入は、ショッピング端末を、各住居、オフィス、もしくは会社内の自己編成された私有のｅショッピングモールに変貌させ、またはそれは、近隣住民によってそのように望まれる場合は、建物全体および／もしくは近所全体の仮想近隣ショッピングモールになることができる。
【００２２】
製品および／またはサービスについてのそのような閉回路ｅショッピングは、システムのすべてのショッピング端末が、ありとあらゆる製品およびサービス細目について、常に最新に保たれていなければならないことを命じる。
【００２３】
現在普及しているショッピングサーバのページ、選択アイコン、提供される品目、それらの価格、状態、ならびにサービスまたは製品の入手可能性を含む、ショッピングプロセスおよび条件についての他の任意の細目は、ウェブサイトページの構造化について知識のあるウェブサイト設計の専門家によって、一般には設計され、プログラムされる。
【００２４】
例えば、生野菜または乳製品などの生鮮品を提供するスーパーマーケットは、季節、ロケーション、および輸送などの留意事項のせいで変化する価格および入手可能性に合わせて、ページを毎日または毎週変更する。ショップサーバの与えられたページに対する変更、またはより大規模なスーパーマーケットもしくはショップチェーンによって使用されるサーバのグループに対する変更は、継続的に行われる。
【００２５】
与えられたショップまたはチェーンによって内部的に準備され、そのような専門家によって修正されるページは、異なるロケーションおよび場所にある多数の住居または会社に広く拡散されたショッピング端末のｅショッピングページを追加、修正、または置換する必要がある場合には適していない。
【００２６】
与えられた消費者に、または１もしくは複数の住居用建物であれ、もしくは潜在的な買物客の他のグループであれ、消費者のグループに固有のページを設計することは、法外なコストがかかる。ページを構成し、設計するには、長い時間がかかり、すべての住居の個々のショッピング端末にページをダウンロードすること、および／またはそれを最新に保つことは、非常に煩雑である。多くの個人またはグループの好みに合わせて手直しされた、膨大な個々のプログラムおよびページを、定期的であれ、不規則であれ、ダウンロードすること、および／またはアップグレードすることは、莫大な作業量のタスクである。
【００２７】
言及された米国出願（例えば、特許文献５を参照）は、設計、追加、修正、もしくは置換が簡単なページもしくはページ内に含まれる単一の製品の価格などのページの一部、または売り切れた場合のページからの製品の削除について教示している。更新プロセスは、覚え、構成し、操作し、インストールするのが容易であるというコンセプトで、低コストで提供されなければならない。
【００２８】
大規模な住居用建物またはオフィスビルの多数のテナントによる閉回路ｅショッピングについての別の既存の問題は、取引のセキュリティ、およびサイバー窃盗、特に閉回路自体の環境内部からのそれの防止である。
【００２９】
また別の問題は、イーサネット(登録商標)などのＩＰローカルＬＡＮネットワークを介する、建物の階全体にわたってカスケード接続されたルータおよびスイッチに基づいた、建物内のショッピングネットワークの信頼性である。大規模建物の階段および玄関ホールの通信もしくは電気キャビネット内に設置された、またはポールなどの上の通信ボックス内に取り付けられた、大規模システムのルータは、サイバー窃盗から攻撃されやすい。
【００３０】
さらに、そのようなルータまたはスイッチの１つの故障は、終日終夜、建物のある区画全体をＬＡＮから、または建物サーバから切断し、多くのショッピング端末をショッピングプロセスから、または更新プロセスから切断する。
【００３１】
セキュリティおよび信頼性の潜在的なリスクを克服するために、そのような大規模集合建築物を、保護された環境内に安全に設置された中央分配器またはシステムのマトリックスに直接的に、スター型トポロジでネットワーク接続することが好ましい。
【００３２】
そのようなスター型接続に伴う問題は、ケーブリング、ならびに距離および速度についてのそれらの制限である。光ファイバケーブルは、１つの解決方法になることができるが、光ファイバケーブリング、コネクタ、および端子は、高価であり、専門知識を必要とする。ＣＡＴ５として知られるようなケーブルによるツイストペアは、低コストの解決方法を提供し、電気技師によってうまく取り扱われ、設置されるが、長さおよび速度について制限される。
【００３３】
１または複数のツイストペアを使用して、ショッピング端末を中央分配器もしくはマトリックスまたは特定の設計されたルータもしくはスイッチにスター型で接続するための解決方法が必要とされる。そのような解決方法の１つが、米国特許（例えば、特許文献６を参照）において、ならびに上で言及された他の米国特許および米国出願（例えば、特許文献５を参照）において開示されている。
【００３４】
重要な問題は、もちろん、速度であり、それは、最大で２００ｍ（６６０ｆｔ）以上の遠方にまで伝搬させられて、多くのショッピング端末をランダムに、定期的に更新するのに十分な速さでなければならない。これは、普通に設置されたＣＡＴ５ケーブルを使用する、標準的なイーサネットＩＰ有線ネットワークを介しては達成可能ではない。
【００３５】
ＣＡＴ５および類似のネットワークケーブルを介する高速通信が様々なデジタル信号を含むアナログオーディオおよびビデオなどの信号の組み合わせを伝搬させるために拡張される必要がある、他の多くの例が存在するが、ケーブル長制限が共通のワイヤの使用を妨げ、そのどれもが構成し、設置するのが技術的に複雑であり、その上、高価であり、設置するのに高熟練の専門家を必要とする、異なるインターフェース、アダプタ、およびコネクタを必要とする、同軸ケーブル、シールドワイヤ、および／または光ファイバケーブルなどのケーブルの組み合わせを命じる。
【００３６】
オーディオ信号、ビデオ信号、データ信号、制御信号、コード信号、警報信号、および緊急信号を含む二方向情報信号をスター型構成で伝搬させるための解決方法であって、製品およびサービスの細目を含むｅショッピングプログラムをアップグレードおよび更新するために、ＣＡＴ５ケーブルの１００ｍの限界を超える遠方に、または単一のツイストペアケーブル、もしくはＣＡＴ５などのマルチツイストペアケーブルの単一のツイストペアを介して、高速でデータをローディングすることを含み、また同じ単一のペアまたは別個の単一のペアを介して、ＤＣ電力を供給することも含む解決方法が必要とされている。
【先行技術文献】
【特許文献】
【００３７】
【特許文献１】米国特許第６６０３８４２号明細書
【特許文献２】米国特許第６９４０９５７号明細書
【特許文献３】米国特許第７４６１０１２号明細書
【特許文献４】米国特許第８１１７０７６号明細書
【特許文献５】米国特許出願第１３／５９９２７５号明細書
【特許文献６】米国特許第５９２３３６３号明細書
【特許文献７】米国特許第７６３９９０７号明細書
【特許文献８】米国特許第７６４９７２７号明細書
【特許文献９】米国特許第７８６４５００号明細書
【特許文献１０】米国特許第７９３７６４７号明細書
【特許文献１１】米国特許第８０４１２２１号明細書
【特許文献１２】米国特許第８１４８９２１号明細書
【特許文献１３】米国特許第８１７０７２２号明細書
【特許文献１４】米国特許第８１７５４６３号明細書
【特許文献１５】米国特許第８２６９３７６号明細書
【特許文献１６】米国特許第８３３１７９４号明細書
【特許文献１７】米国特許第８３３１７９５号明細書
【特許文献１８】米国特許第８３４０５２７号明細書
【特許文献１９】米国特許第８３４４６６８号明細書
【特許文献２０】米国特許第８３８４２４９号明細書
【特許文献２１】米国特許第８４４１８２４号明細書
【特許文献２２】米国特許第８４４２７９２号明細書
【特許文献２３】米国特許出願第１３／３４９９３９号明細書
【特許文献２４】米国特許出願第１３／５９９２７５号明細書
【発明の概要】
【００３８】
本発明の目的は、メインルータまたはメインユニットまたはマトリックスユニットと呼ばれる中央信号処理または分配またはルーティングユニットの間で、オーディオ信号、ビデオ信号、データ信号、制御信号、警報信号、および緊急信号を含む情報信号の二方向組み合わせを伝搬させるための装置および方法である。
【００３９】
テナント、住人、ユーザ、または買物客という用語は、これ以降において、ショッピング端末を介してサービスもしくは商品を検索および／もしくは注文し、ならびに／または自分の便宜および望みに合わせて、ショッピング端末にロードされるサービスおよび商品を定め、選択し、および制限する、ｅ買物客またはｅ購入者を指す。
【００４０】
住宅、住居、およびアパートという用語は、居住用であれ、オフィス用であれ、事業用であれ、住居用および／または商用建物の任意の単一のユニットを指す。
【００４１】
ショッピング端末という用語は、これ以降および特許請求の範囲において、ビデオインターフォンモニタ、専用ショッピング端末、ケーブルＴＶ、インタラクティブＴＶ、ＴＶセット、セットトップボックス、ショッピングボックス、アンテナアダプタボックス、衛星アダプタボックス、ケーブルＴＶボックス、および少なくとも１つのＴＶ番組プロバイダをテレビセットまたはケーブルテレビセットに接続している他の任意の類似のボックス、ならびにそれらの組み合わせを指す。
【００４２】
ショッピング端末は、操作用表示スクリーンと、ショッピングプログラム、コンテンツ、ならびに他のショッピングサービスおよび商品細目を保存するためのメモリと、操作および選択ｅショッピングがサービスもしくは商品または両方を含むことを可能にするためのＣＰＵとを備える。ショッピング端末は、ビルトインされた操作用表示スクリーンおよびタッチアイコンを介して、関連する表示スクリーンによって、音声によって、遠隔制御デバイスによって、または手もしくは住人の眼球などの他の部位の動きによって、操作されることができる。
【００４３】
メインルータ、メインユニット、マトリックスユニット、ルータ、マトリックス、およびスイッチという用語は、これ以降および特許請求の範囲において、少なくとも１つの建物のサーバとサーバの内部通信線の間で、情報信号を処理すること、選択すること、分配すること、ルーティングすること、スイッチングすること、一時的に保存すること、およびバッファリングすることのうちの少なくとも１つを行うための交差ユニットを指す。
【００４４】
情報信号という用語は、これ以降および特許請求の範囲において、一方向に、双方向に、およびそれらの組み合わせで伝搬される、オーディオ信号、ビデオ信号、データ信号、コード信号、制御信号、警報信号、緊急信号、およびそれらの組み合わせを含む群から選択される、任意の個々の信号を指す。
【００４５】
ｅショッピング信号という用語は、これ以降および特許請求の範囲において、ｅショッピングプログラムおよびコンテンツに関する信号をロード、アップグレード、更新、追加、変更および／もしくは削除、またはダウンロードするための、ＡＳＫ（振幅偏移変調）、ＦＳＫ（周波数偏移変調）などの変調信号、または他の任意の変調信号を含む、処理されるおよび／または完遂された注文の一方向信号、双方向信号、および一方向信号と双方向信号の組み合わせである、情報信号のうちの信号のいずれかを、個別にまたはそれらの組み合わせのいずれかで含み得る。
【００４６】
メインユニット、メインルータ、またはマトリックスユニットは、ステーションのいずれかおよび／またはショッピング端末のいずれかとマトリックスを介して情報信号を選択的に通信するために、マトリックスに直接的に接続され、または結び付けられることによって明確に特徴付けられる、１または複数のショッピング端末、建物の１または複数のエントリパネル、オフィスビルのローカルステーションおよび類似のローカルサービス施設を含む、ローカルな建物および／または近所全体の１または複数のローカル管理人ステーション、ローカル守衛ステーション、ローカルセキュリティステーションを接続し、および／または結び付ける。
【００４７】
以下の説明および特許請求の範囲におけるサーバという用語は、１または複数のメモリ内に保存された情報を提供するための、およびインターネットなどのネットワークを介して受信されたｅコマース注文を処理するための、よく知られたコンピューティングサーバを指す。
【００４８】
スタンドアロンサーバという用語は、閉回路の他のサーバとともに閉回路ｅコマースを操作するためのプログラム全体を、サービス、製品、情報、またはサーバが閉回路ｅコマース内で実行すべき他のタスクに関するデータとともに格納した、ビルトインされた少なくとも１つのメモリを有する、サーバを指す。
【００４９】
「サーバおよびクラウドコンピューティング」という用語は、ＡｍａｚｏｎまたはＭｉｃｒｏｓｏｆｔまたはＩＢＭによって提供されるクラウドコンピューティングサービスおよびメモリなどの、よく知られたクラウドコンピューティングによって提供されるサーバサービスを指す。
【００５０】
「ローカル」または「ローカルに接続された」という用語は、ローカルという用語に対して、与えられたロケーションおよびステーションの物理的位置、場所を用いた具体的な列挙もしくは識別がなされない限り、または１または複数の距離が、他のステーション、マトリックス、およびショッピング端末のいずれかに関して、具体的に列挙されない限り、ローカル管理人ステーションまたはｅ管理人ステーションおよび他の列挙されたステーションの物理的ロケーションではなく、接続詳細を定める。
【００５１】
ネットワークを介して建物サーバに接続される、「ローカル」配送ステーションまたは「ローカル」配送端末またはｅショップは、それが物理的に建物または集合建築物の内部にある場合であっても、「ローカルに」接続されるとは見なされない。
【００５２】
「遠方」という用語は、物理的に建物または集合建築物の外部に配置された任意の配送ステーションまたはショップを指す。遠方という用語は、メートル、Ｋｍ、またはマイルを単位とする測定値についての言及ではなく、配送ステーションがネットワークにどのように接続されるかに関係しない。
【００５３】
言及された米国特許および多くの国々で発行された対応する特許において開示されている、本発明のショッピング端末は、ｅショッピングおよびｅサービスに関する、製品、価格、インボイスおよび支払い、配送詳細、ならびに他の材料およびプロセスデータを含む、ショッピングプログラムを含む。各ショッピング端末内に保存されるプログラムは、各住人によって個人的になされる選択に制限される。
【００５４】
そのような個人的に選択されるデータは、与えられた指定時刻に規則的にであれ、ランダムにであれ、定期的にであれ、各ショッピング端末に対して規則的に更新されなければならない。これは、マトリックスおよびマトリックスに個別に接続されたショッピング端末の各々による更新データの処理を可能にするのに必要とされる電力の提供を命じる。
【００５５】
言及された米国特許（例えば、特許文献６を参照）は、ビデオインターフォンモニタと関連付けられた再充電可能バッテリに調節された電流を供給することによって、モニタと中央ユニットの間に延ばされた通信線を介して、各ビデオインターフォンモニタに電力を供給するための方法を開示している。
【００５６】
マトリックスをショッピング端末と接続する通信線を介して調節された電流を供給することの利点は明らかであり、制御されたＤＣ電流は同じ単一のツイストペアを介して情報信号とともに供給されることができ、それはコストおよび簡素性など実質的な利点を提供する。
【００５７】
したがって、本発明の別の目的は、制御されたＤＣ電流もショッピング端末に供給する単一のツイストペアを介して、ショッピングデータ細目、コンテンツ、およびプログラムを更新し、ロードするための高速伝搬を含む二方向情報信号を伝搬させるための方法および装置を提供することである。
【００５８】
伝送線またはツイストペアを介して供給される電力は、本発明のまた別の目的を提供し、それは、更新およびローディングプロセスに関与させられるマトリックスおよびショッピング端末のすべての回路が、電力切断および他の電力供給異常に関わらず、常に電力を供給されていることを保証することである。
【００５９】
ショッピング端末のショッピング回路のメモリへのショッピング信号の更新およびローディングは、製品およびサービスの多くの写真およびイラストを高速に更新およびロードすることを含む。ＣＡＴ５ケーブルの単一のペアなどの１つのツイストペアを介する情報信号の伝搬は、１００ｍまたは３３０ｆｔに制限され、イーサネット１０Ｂａｓｅ−Ｔなどのネットワークまたはより高速なネットワークの場合、ケーブル長を６０ｍまたは２００ｆｔに制限することが推奨される。
【００６０】
大規模な高層ビルでは、そのような制限は、マトリックスを住居と結び付けるスター型接続では満たされることができず、本発明の他の目的は、１５０〜２００ｍをはるかに超える遠方への高速な信号伝搬を提供することである。
【００６１】
後で詳述されるように、これは、製品およびサービスの写真データおよびイラストデータを含むショッピングデータ細目を更新およびロードするのに必要とされる、高速データのための４ＭＨｚ以上の帯域幅を提供するための、１０〜２０ＭＨｚ以上のキャリア周波数から選択されるキャリア上に変調されたＦＭ変調データを伝搬させることによって、達成される。
【００６２】
後で説明されるように、例えば、１２ＭＨｚのキャリア周波数は、ＦＭ変調アナログビデオ信号を、単一のツイストペアを介して、２００ｍをはるかに超える先まで伝搬させることを可能にし、同じＦＭ変調器が、ＦＳＫ変調についても、高速データをショッピング端末に伝搬させるために使用される。
【００６３】
１０〜２０ＭＨｚなどの範囲内の伝搬信号の減衰は、２００ｍをはるかに超える信号の伝搬距離を設計された回路の動作範囲内に十分収まるＳ／Ｎ比で可能にするが、克服されることを必要とする他の制限が存在する。
【００６４】
ＣＡＴ５ケーブルの制限は、減衰および信号対雑音比（Ｓ／Ｎ）だけが理由ではないことはよく知られている。他の制限は、伝搬遅延時間および衝突である。
【００６５】
伝搬遅延および衝突を克服するために、本発明の他の目的は、高速データ伝搬を、ショッピング端末のメモリ内に保存されたデータをロード、更新、追加、および変更することを目的とする、連続的な中断されない一方向送信、または中断されない一連のパケット、または他の形態のタイミング構造化送信に制限すること、ならびにより低速では、プロトコルとして知られた、事前プログラムされたコード化信号である、言及された出願（例えば、特許文献５を参照）において開示されている、二方向コマンドを伝搬させるための、ＡＳＫなどの別個の変調媒体を提供することである。
【００６６】
この設計は、衝突、タイミング制限、および他の通信障害なしに、ショッピングプログラムおよびコンテンツをいつでもアップグレードおよび更新することを簡単にする一方で、マトリックス、ショッピング端末、および建物サーバを操作するための二方向コマンドを、伝搬制限なしに、同時に伝搬させることを可能にする。建物サーバは、後で説明される。
【００６７】
デジタルデータであれ、またはアナログ信号であれ、ツイストペア上での信号の伝搬は、ノイズを排除し、Ｓ／Ｎおよび定在波比を改善するために、信号が差動または平衡信号であることを命じる。差動信号は、ネットワーク全体で主流であるように、
【００６８】
【数１】
2018014112.tif 000003
【００６９】
および
【００７０】
【数２】
2018014112.tif 000004
【００７１】
の極性を有するツイストペアを通して供給されなければならない。実際には、設置者および電気技師は、たびたび、ビデオインターフォンなどのシステムデバイスにツイストペアのいくつかを逆の極性で接続してしまい、そのことが、逆の極性で誤って接続された線のせいで通信することができない多くのデバイスを再訪して、接続し直すことを命じる。
【００７２】
本発明は、従来のショッピング端末およびビデオインターフォンと同様に、各ショッピング端末のショッピング回路に、またはショッピング端末ユニット全体の各々に、再充電可能バッテリを介して、電力を供給するように設計される。バッテリは、情報信号を伝送するのと同じツイストペアを介して、連続的に充電される。ＤＣ電力の極性は、差動信号の極性と同様に、極性を間違わずに接続されなければならない。
【００７３】
そのような接続上の障害を取り除き、間違いを犯さない接続環境を提供するために、本発明の別の目的は、１または複数のツイストペアに極性のない接続を導入することである。各ペアの端子に極性がない場合、設置者は、接続に先立って、
【００７４】
【数３】
2018014112.tif 000005
【００７５】
端子および
【００７６】
【数４】
2018014112.tif 000006
【００７７】
端子を識別すること、ならびに／またはペアを端子に接続した後、接続された極性を検証することを求められない。
【００７８】
本発明のまた別の目的は、マトリックスとも呼ばれるメインユニットにスター型構成で接続される複数の個々のツイストペアによって形成される内部通信線のセキュリティを保護することである。ツイストペアを含む各線は、個々の各ショッピング端末とメインユニットまたはマトリックス端子の間に延ばされる。
【００７９】
各線は、サイバー窃盗を目的とする侵入を防止するように設計されなければならず、これは、変調／復調ビデオ信号、二方向オーディオ信号、符号化／復号二方向ＡＳＫ信号、データ信号、警報信号、コード化制御信号、緊急信号、符号化ＦＳＫデータ信号、およびそれらの組み合わせを含む群から選択される信号を含む、上で言及された情報信号を処理し、伝搬させる回路を、ありとあらゆる線に導入することによって達成される。
【００８０】
個々の各線への処理回路の導入は、いかなる可能なサイバー窃盗の試みもショッピング端末またはマトリックスと通信することができないようにし、それによって、外部／内部侵入からケーブリングを完全に保護するための、物理的な防御回路である。
【００８１】
さらに、上で言及された個々の信号処理回路の導入は、専用ネットワーク、プライベートネットワーク、公衆ネットワーク、インターネット、仮想プライベートネットワーク（ＶＰＮ）、およびそれらの組み合わせを含む群から選択されるネットワークを通して、ｅサービスおよびｅショッピングを含むｅコマースを１または複数の建物に提供する建物サーバの間で、よく知られたルーティングおよび／またはオン−オフスイッチング回路によって方向付けまたはルーティングされる、ビデオまたはオーディオなどの個々の情報信号、ＦＳＫ信号、およびＡＳＫ信号を、ルーティングまたはオン−オフスイッチングすることを可能にする。
【００８２】
建物サーバは、大メモリ容量および／またはメモリバッファを含み得るが、Ａｍａｚｏｎなどのよく知られたクラウドコンピューティングプロバイダの文字通り限界のない容量のクラウドコンピューティングに統合され得、またはそれを使用し得る。あるいは、国全体のまたはグローバル目的の閉回路ｅコマースは、与えられたシステムの閉回路ｅコマースサーバの一部または全部に取って代わるために設計され、設定されるようなクラウドコンピューティング施設を設置し得る。
【００８３】
あるいは、１または少数の配送ステーションを介する、近所または１つの住居用高層ビルのための単一の食品雑貨プロバイダなどのための最小システムの場合、閉回路ｅショッピングは、少なくとも高層ビルの例と少なくとも１つのプロバイダを結び付ける、２または少数のサーバを有する専用ネットワークを使用し得る。専用ネットワークに接続されるサーバが２つだけの場合、ｅショップサーバは、クレジット、支払い、および閉回路ｅショッピングエンティティの動作全体を良好に管理することができる。
【００８４】
システムサイズに関わらず、個々の処理回路は、管理人ステーション、管理オフィス、スイミングプール、ヘルスクラブ、およびそれらの組み合わせなどのインターフェースを介してマトリックスまたはメインユニットに結び付けられる、ローカルに接続された周辺システムのいずれかによる試みを含む、サイバー犯罪からシステムを保護することに留意することが重要である。
【図面の簡単な説明】
【００８５】
【図１Ａ】ツイストペアの一端をビデオインターフォンまたは本発明の好ましい実施形態のｅショッピングシステムインフラストラクチャの内部通信線のメインまたはマトリックスユニットのセレクタまたはルータに接続する回路の電気ブロック図である。
【図１Ｂ】ツイストペアの一端をビデオインターフォンまたは本発明の好ましい実施形態のｅショッピングシステムインフラストラクチャの内部通信線のメインまたはマトリックスユニットのセレクタまたはルータに接続する回路の電気ブロック図である。
【図２Ａ】図１Ａのツイストペアの他端をビデオインターフォンモニタまたは本発明の好ましい実施形態のショッピング端末に接続する回路の電気ブロック図である。
【図２Ｂ】図１Ｂのツイストペアの他端をビデオインターフォンモニタまたは本発明の好ましい実施形態のショッピング端末に接続する回路の電気ブロック図である。
【図３Ａ】一方向ＦＭ変調ビデオおよび一方向ＦＳＫ変調信号のみを伝搬させる図１Ａの変更されたブロック図である。
【図３Ｂ】一方向ＦＭ変調ビデオおよび一方向ＦＳＫ変調信号のみを伝搬させる図１Ｂの変更されたブロック図である。
【図４Ａ】一方向ＦＭ変調ビデオおよび一方向ＦＳＫ変調信号のみを伝達する図２Ａの変更されたブロック図である。
【図４Ｂ】一方向ＦＭ変調ビデオおよび一方向ＦＳＫ変調信号のみを伝達する図２Ｂの変更されたブロック図である。
【図５Ａ】図３Ａおよび図３Ｂの回路を単一のエントリパネルに接続する本発明の基本ビデオインターフォンシステムインフラストラクチャの電気ブロック図である。
【図５Ｂ】図３Ａおよび図３Ｂの回路に選択的に接続されるｎ個のエントリパネルを含む図５Ａの別の好ましい実施形態を示す図である。
【図６Ａ】ｎ個のエントリパネルをｎ個の図３Ａおよび図３Ｂの回路に選択的に結び付けるための、３極セレクタを使用する図５Ｂのシステムの拡張バージョンを示す図である。
【図６Ｂ】ｎ個のインターフェースモジュールをｎ個の図１Ａおよび図１Ｂの回路に選択的に結び付けるための、４極セレクタを使用する図６Ａの変更されたメインユニットの一部を示す電気ブロック図である。
【図７】ｎ個の図２Ａおよび図２Ｂの回路をｎ個のインターフェースモジュールに選択的に結び付けるための、複数の４極セレクタまたはルータを使用する中央ユニットを介して接続される、複数の図１Ａ、図１Ｂ、図２Ａ、および図２Ｂの回路を含む電気ブロック図である。
【図８】複数の３極セレクタまたはルータを使用して、ＦＳＫデータまたはＦＭ変調信号の一方向に制限された伝搬を行う、複数の図３Ａ、図３Ｂ、図４Ａ、および図４Ｂの回路を含む、図７に類似した電気ブロック図である。
【図９】別の好ましい実施形態の異なるスイッチングまたはルーティング構成を有する、図７に類似した電気ブロック図である。
【図１０】別の好ましい実施形態の異なるスイッチングまたはルーティング構成を有する、図８に類似した電気ブロック図である。
【図１１Ａ】図１Ａ〜図４Ｂに示された回路を含むショッピング端末のショッピング回路と、メインユニットと、サーバと、好ましい実施形態の閉回路ｅコマースのネットワークへのリンクとを示すブロック図である。
【図１１Ｂ】ショッピング端末のメモリ構造と、ショッピング表示ページのメモリバッファ内への呼び出しを含む、サーバによってメインユニット、ＣＰＵを介してメモリ内に供給されるショッピング細目についての更新ルートとを示す説明的なブロック図である。
【図１２】ビデオインターフォンシステムおよびテレビセットを含む閉回路ｅショッピングシステムを示すブロック図である。
【図１３】図１２に示される閉回路ｅショッピングに類似するが、ケーブルＴＶ、地上ＴＶ、セットトップボックス、専用ショッピングボックス、および専用ショッピング端末の組み合わせを含むブロック図である。
【図１４】システムのブロック図、システムの仮想プライベートネットワークを介する段階的な注文処理、および組み込まれたｅショッピング配送ステーションから注文した住人への物理的な配送を含む、本発明の好ましい実施形態の閉回路ｅショッピングを示すイラストを示す図である。
【図１５Ａ】本発明の好ましい実施形態の配送タブレットのイラストを示す図である。
【図１５Ｂ】本発明の好ましい実施形態のスマートカートのイラストを示す図である。
【図１５Ｃ】本発明の好ましい実施形態の配送ステーションのスマート貯蔵庫またはラックのイラストを示す図である。
【発明を実施するための形態】
【００８６】
図１Ａ〜図１Ｂは、ツイストペア１０の一端と、図１Ａ〜図１Ｂの端子１０Ａ〜１０Ｂおよび図２Ａ〜図２Ｂの端子１１Ａ〜１１Ｂを介して接続される、２つの相補的な回路である回路１００と図２Ａ〜図２Ｂの回路２００の間で、ツイストペア１０を介して伝搬される情報信号を処理するための、図７のセレクタまたはルータ５４０−１、５４０−２、または５４０−ｎとの間に接続される回路１００のブロック図を示している。処理される情報信号は、二方向または双方向ビデオ信号、二方向オーディオ信号、二方向または双方向ＡＳＫ変調データ信号、および二方向ＦＳＫ変調信号を含む。信号ポートまたは端子は、一方向マイクロフォン信号ポートまたは端子１４０、一方向スピーカ信号端子１４１、２つの電力端子１５０、１５１、二方向または双方向ビデオ端子１６０、１６１、二方向ＡＳＫ制御およびコマンド信号端子１６２、ならびに二方向ＦＳＫデータ信号端子１６３として示されている。
【００８７】
ＡＳＫおよび／またはＦＳＫ信号は、ＣＰＵ１０５を通して、送信、受信、および／または交換され、伝搬信号は、データ、コード、制御、コマンド、警報、緊急、問い合わせ、報告、応答、およびそれらの組み合わせを含む。ＡＳＫおよび／またはＦＳＫ信号は、場合によっては、デジタルオーディオおよび／またはデジタルビデオ信号、他の変調ＡＳＫおよびＦＳＫ情報および／または通信信号、ならびにそれらの任意の組み合わせをさらに含む。ＣＰＵ１０５は、ＡＳＫ変調−復調回路１０３の端子１１５、１１６を介して、二方向ＡＳＫ（振幅偏移変調）変調信号を、ならびにＦＳＫ／ビデオセレクタ１０４およびＦＳＫ変調−復調回路１０２を介して、ＦＳＫ（周波数偏移変調）変調信号を伝搬させる。
【００８８】
ＦＳＫ、ビデオ、およびＡＳＫ変調−復調回路１０２、１０３は、周波数変調（ＦＭ）および振幅変調（ＡＭ）としても知られる、良く知られた周波数および振幅変調器−復調器であり、低コストでふつうに入手可能であり、図１Ａにおいて破線で示される単一のＩＣ１０１内にパッケージされる。ＡＳＫは、選択された周波数でクロックを供給される必要があり、好ましい実施形態は、０．５〜１．０ＭＨｚの範囲内のクロック信号を使用する。ＡＳＫ変調−復調回路１０３にアタッチされるクロック発生器１０７は、ＩＣパッケージ１０１内に含まれる回路であることができ、または例えば、ＣＰＵ１０５もしくは水晶（Ｘｔａｌ）発振器から供給される、クロックのための入力であることができ、またはよく知られたクロック発生器を形成する、個別コンポーネントを使用する発振器であることができる。
【００８９】
好ましい実施形態は、ＦＳＫ変調器−変調器回路のために、１２．５ＭＨｚの基底周波数を利用し、発振器は、ビルトイン発振器であるが、ＡＳＫ変調器−変調器のクロック発生器と同様に、Ｘｔａｌ発振器など、接続された発振器であることができる。ＡＳＫおよびＦＳＫの両方に同期が取れた時間基準を提供するために、単一のクロック発生器を使用することが好ましい。
【００９０】
ＣＰＵ１０５および図２ＡのＣＰＵ２０５は、データの完璧な同期の取れた処理のためのＡＳＫコマンドおよびＦＳＫデータ伝搬のタイミングのために、図１１Ｂの図示されたバッファ２０８Ａなどのメモリバッファを使用し得、またはＣＰＵ２０５、５３５内に組み込まれる、図１１Ａに示された組み込みもしくはビルトインメモリ２０８、５３６を使用し得る。
【００９１】
ＦＳＫ／ビデオセレクタ１０４は、もっぱら説明のために、一対の電気コンタクトとして示されており、セレクタは、ＦＥＴまたは他のスイッチングトランジスタを使用するマルチプレクサまたは半導体スイッチなどの、よく知られた半導体回路である。極端子１１９Ａ、１１９Ｂは、例えば、変調器の入力をＦＳＫ入力に接続するために、ＣＰＵ１０５から供給される制御コマンドによって一緒または独立に動作し、同時に変調器にＣＰＵ  ＦＳＫ  ｏｕｔ端子から供給されるデータを変調するように命令し、それによって、ＦＳＫ信号を、端子１１２を介して、差動増幅器１２１に出力することができる。
【００９２】
ＡＳＫ信号およびＦＳＫ信号は、ＡＳＫ信号のための１１５、１１６、およびｉｎ−ｏｕｔ  ＦＳＫ信号のための１１９Ａ、１１９Ｂなど、別々のｉｎ−ｏｕｔ端子を介して、ＣＰＵ１０５のｉｎ−ｏｕｔポートに接続されて示されている場合であっても、ＡＳＫおよびＦＳＫデータ信号ポートはともに、双方向であることができ、ともに、図示された線１１７Ａ、１１７Ｂ、および１１８などの制御線を介して、それぞれ、ＦＳＫ／ビデオセレクタ１０４、ＦＳＫ変調／復調１０２、およびＡＳＫ変調／復調１０３に伝搬されるコマンドに応答して、どちらかの方向で動作していることができる。さらに、２つの変調／復調回路１０２、１０３を制御するために、および組み合わされた回路１００に応じて、セレクタ１０４も制御するためにプログラムされた単一のＩ／Ｏポートおよび制御線を使用することが、好ましい。
【００９３】
差動増幅器１２１は、変調された信号を、それがＦＭ変調ビデオであれ、またはＦＳＫデータであれ、ＤＣ成分を除去するために、コンデンサ１７２、１７３を介して出力し、ＦＳＫデータまたはＦＭ変調ビデオ信号を、図２Ａに示された、ショッピング端末の相補的回路２００に供給するために、変調された信号を、ハイパスフィルタ（ＨＰＦ）１２４、１２５を通して、またツイストペア端子１０Ａ、１０Ｂを通して、ツイストペア線１０に供給する。
【００９４】
ビデオインターフォンエントリパネルのカメラなどのビデオカメラのＦＭ変調ビデオ信号、並びにショッピング、製品、およびサービスに関する詳細なデータでショッピング回路のメモリをアップグレード／更新するためのＦＳＫデータ信号の伝搬は、これ以降、信号の動きを反映して、インバウンド通信、インバウンド方向、またはインバウンド伝搬と呼ばれる。
【００９５】
ショッピング端末回路２００から反対方向に供給されるＦＳＫデータまたはＦＭ変調ビデオ信号は、これ以降、信号の動きを反映して、アウトバウンド通信、アウトバウンド方向、またはアウトバウンド伝搬と呼ばれる。アウトバウンド信号は、ショッピング端末回路２００から伝搬させられたＦＳＫ信号を復調し、ＣＰＵ１０５の入力ＦＳＫポートに供給するために、または復調されたビデオ信号をビデオｏｕｔ端子１６０に供給するために、ＨＰＦ１２４、１２５、結合コンデンサ１７０、１７１、および差動増幅器−バッファ１２０を介して、ビデオ／ＦＳＫ変調／復調回路１０２に伝搬させられる。ＣＰＵ１０５は、ＣＰＵ１０５およびＦＳＫ／ビデオ選択１０４を介して処理されたコマンドの指示に基づいて、受信されたＦＳＫまたはビデオデータ信号を処理する。
【００９６】
上述のことから、ＦＳＫデータ信号またはＦＭ変調ビデオ信号の各々が、ともに上で言及された１２．５ＭＨｚなどのキャリア周波数を有し、差動増幅器１２１および増幅器−バッファ１２０を介して、２つの方向に伝搬させられることは、明らかである。差動ＦＭ変調ビデオおよび差動ＦＳＫデータ信号は、回路１００と回路２００の間のツイストペア１０を介して、またハイパスフィルタ１２４、１２５、２２４、２２５を介して、伝搬させられ、それによって、後で説明されるように、回路１００と回路２００の間の同じツイストペア１０を介して伝搬させられる他の信号から分離される。
【００９７】
図１Ａの抵抗器１８０〜１８７および図２Ａの抵抗器２８０〜２８７は、それぞれ、図１Ａの演算増幅器１２０〜１２３および図２Ａの演算増幅器２２０〜２２３のためのリファレンス抵抗器である。リファレンスは、各々、２以上の抵抗器を含み得、ならびに／またはコイル、コンデンサ、および抵抗器のアレイを含み得る。
【００９８】
データ、ショッピング、コマンド、制御、警報、および緊急を含む群から選択されるＡＳＫ信号は、図１Ａ〜図１Ｂの回路１００と図２Ａ〜図２Ｂの回路２００の間で二方向に伝搬させられる。上で言及されたようなＡＳＫのクロック周波数は、例えば、１２５Ｋボーの速度で双方向データを可能にする、０．５ＭＨｚである。
【００９９】
ＦＳＫ差動増幅器１２１および増幅器−バッファ１２０と同様に、ＡＳＫ差動増幅器１２３および増幅器−バッファ１２２は、図２Ａ〜図２Ｂのショッピング端末の回路２００と双方向差動ＡＳＫデータを通信するために、双方向差動ＡＳＫデータ信号を、アウトバウンド端子１１３およびインバウンド端子１１４、結合コンデンサ１７４、１７５、１７６、１７７、ならびにバンドパスフィルタ１２６、１２７を介して、端子１０Ａ、１０Ｂ、および同じツイストペア１０を通して伝搬させる
図１Ａ〜図１Ｂのバンドパスフィルタ（ＢＰＦ）１２６、１２７、および図２Ａ〜図２ＢのＢＰＦ２２６、２２７は、例えば、２００ＫＨｚから８００ＫＨｚの範囲にあり、約８０Ｈｚ〜８ＫＨｚのリアルタイムまたは基本周波数範囲で伝搬されるオーディオ信号からの、および１２．５ＭＨｚのキャリア周波数と、最低シフト周波数が５ＭＨｚよりも上に留まることを保証する、例えば、５〜７ＭＨｚの帯域幅とを有するＦＭ変調ビデオまたはＦＳＫデータからの相当な分離距離を提供する、与えられた帯域内の信号を通過させるように計算される。
【０１００】
高調波ならびに高調波を含むオーディオ帯域からの他の漂遊信号およびノイズを含む、２００ＫＨｚ〜８００ＫＨｚの範囲のＡＳＫ帯域の分離は、最大で５０ＫＨｚに達し得、それは、最低周波数が５ＭＨｚを超える帯域を有するＦＭビデオ／ＦＳＫ信号からのものである。オーディオ帯域からの１５０ＫＨｚの分離およびＦＭビデオ／ＦＳＫ帯域からの４ＭＨｚ超の分離は、相当なものであり、オーディオ、ＡＳＫ、およびＦＭビデオまたはＦＳＫデータを含む信号の３つのグループが、同じツイストペア上で同時に、一方向および／または双方向に伝搬させられることを可能にすることは、明白であり、明らかである。
【０１０１】
図１Ｂ、図２Ｂ、図３Ｂおよび図４Ｂは、例えば、１００ＫＨｚから１．０ＧＨｚの範囲の広帯域信号を、様々な線路インピーダンスを有する不平衡線および平衡線と信号源の間で双方向に同時に伝搬させる、バラン変成器１００Ｂ、２００Ｂを使用する、本発明の別の好ましい実施形態のよく知られた回路を示している。
【０１０２】
示された回路１００Ａ、２００Ａ、１９０Ａ、２９０Ａは、電力を消費せずに、少数の受動コンポーネントを使用して、バッファ増幅器１２０、１２３、２２０、２２３および差動増幅器１２１、１２２、２２１、２２２、結合コンデンサ１７０〜１７７、２７０〜２７７、ならびにリファレンス抵抗器１８０〜１８７、２８０〜２８７の全ブロックに取って代わり、そのすべては、必要とされなくなり、使用されなくなる。
【０１０３】
双方向回路１００Ａは、ＡＳＫ変調−復調端子１１３、１１４を、結合コンデンサ１７４Ｂ、１７６Ｂ、線路抵抗器１８４Ｂ、１８５Ｂ、単一のバンドパスフィルタ１２７、およびバランス（平衡−不平衡）変成器１００Ｂを介して接続する。
【０１０４】
双方向ＦＳＫ変調−復調端子１１１、１１２は、結合コンデンサ１７１Ｂ、１７３Ｂ、線路抵抗器１８０Ｂ、１８１Ｂ、ハイパスフィルタ１２５を介して、バラン１００Ｂに接続される。バラン１００Ｂは、結合コンデンサ１７８Ｂを介して、ツイストペア端子の接続点１０Ｃ、１０Ｄに接続され、双方向差動回路に取って代わり、その任意の組み合わせを含む、上で言及された信号すべての一方向および双方向伝搬を、信号劣化を生じさせずに、完全に維持する。
【０１０５】
バラン回路１００Ａと回路１００の差動回路との間の重大な相違は、ノイズ耐性およびノイズの放射（ＥＭＩ）である。
【０１０６】
これは、２つの回路の間の選択を、信号ならびに内部通信線を取り巻く環境および線のタイプに基づいた設計上の選択にする。後で説明されるように、示された単一のツイストペアも、内部通信線のために、単一のツイストペアと複数のツイストペアの間で選択された、または選ばれたものである。
【０１０７】
図２Ｂのバラン回路２００Ａは、バラン回路１００Ａと文字通り同一である。示された相違は、結合コンデンサの番号が、１７１Ｂ〜１７８Ｂか、それとも２７１Ｂ〜２７８Ｂか、線路抵抗器の番号が、１８０Ｂ〜１８５Ｂか、それとも２８０Ｂ〜２８５Ｂか、バランの番号が、１００Ｂか、それとも２００Ｂか、および端子１０Ｃまたは１０Ｄへの接続か、それとも端子１１Ｃまたは１１Ｄへの接続かである。それ以外は、回路１００Ａは、回路２００Ａと同一であり、ともに、他方の相補的回路である。
【０１０８】
図３Ｂの回路１９０Ａおよび図４Ｂの回路２９０Ａに対しては、回路１００Ａおよび回路２００Ａのために使用されるのと同じ番号が、使用される。回路１００Ａと回路１９０Ａ、または回路２００Ａと回路２９０Ａの間の唯一の相違は、図８、図１１Ａ、および図１１Ｂに示されるようなｅショッピング回路２０を組み込んだビデオインターフォンシステムのために使用されるような一方向ＦＭビデオおよびＦＳＫデータである。
【０１０９】
ツイストペアを介して伝搬させられる有線電話信号などの、伝搬させられる双方向オーディオ信号は、線の終端において、インピーダンスをマッチングさせることを必要とする。特に、図２Ａの回路２００を動作させるためのＤＣ電力が、有線電話で通常提供されるようなツイストペアを通して供給される場合に、良好なオーディオ終端を提供するために、終端は、図１Ａのオーディオ線路変成器１４２および図２Ａのオーディオ線路変成器２４２によって好ましくは提供される。
【０１１０】
変成器は、２つの無極性コンデンサＮＰを介して、ツイストペア端子１０Ａ、１０Ｂに接続される。無極性コンデンサを使用する理由は、ツイストペア１０を介して図２Ａのショッピング端末に供給されるＤＣ電力極性である。電力およびシグナリング供給は、端子１０Ａ、１０Ｂと端子１１Ａ、１１Ｂの間の無極性ツイストペア接続を可能にするように、好ましくは設計される。
【０１１１】
そのような無極性接続は、電力極性を二方向にランダムに供給し、したがって、２つのコンデンサＮＰは、線１０を、端子１１Ａ、１１Ｂを介して、線路変成器２４２に接続する、無極性コンデンサであり、ＤＣ接続のための良く知られた分極コンデンサではない。無極性状態は、図１Ａの２つのコンデンサについて同じではない。
【０１１２】
図７のメインユニット６００または図８のメインユニット７００に与えられた極性で接続される、電力端子
【０１１３】
【数５】
2018014112.tif 000007
【０１１４】
１５０および
【０１１５】
【数６】
2018014112.tif 000008
【０１１６】
１５１が、図１Ａにおいて示されており、電解コンデンサまたはタンタルコンデンサなどの分極コンデンサが、使用されることができる。しかしながら、コンデンサのインピーダンスは、コンデンサタイプおよび構造とともに変化するので、ツイストペアの両端において同一のインピーダンスを保証するために、図１Ａおよび図２Ａに示されるように、ツイストペア１０の両端において、同一のコンデンサＮＰを使用することが好ましい。
【０１１７】
線路変成器１４２の１次コイルは、ハンドフリー音声通信ＩＣに接続され、それは、会議電話およびよく知られたハンドフリービデオインターフォンモニタなど、多くのタイプのハンドフリーオーディオ通信において使用される、よく知られたＩＣである。ハンズフリーは、ハンドセットを提供されない、および／またはインターコムもしくは電話ユニットの本体に設けられた開口を介して、マイクロフォンに向かって話し、スピーカからの音を聞きながら、ハンドセットをフック上に置いたままにすることによって操作される、インターコムおよび電話を指す。ハンドフリーＩＣは、スピーカからマイクロフォンへの音フィードバックによって引き起こされる、ハウリングおよび振動を防止する。
【０１１８】
端子１４０  ｍｉｃ．および端子１４１  ｓｐ．は、線路変成器１４２、無極性コンデンサＮＰ、端子１０Ａ、１０Ｂ、および上で言及されたＡＳＫ、ＦＳＫ、またはＦＭビデオ信号をショッピング端末回路２００と交換しているツイストペア１０を通して伝搬させられる、二方向音声信号ｍｉｃ．、ｓｐを接続する。
【０１１９】
図１Ａの回路１００および図２Ａの回路２００を動作させるための電力源は、ビデオインターフォン、ショッピング端末、およびそれらの組み合わせを動作させるための、ＬＣＤまたは他の表示スクリーンを含む回路１００、２００を動作させるための、１２Ｖもしくは１５Ｖもしくは２４Ｖまたは他の任意の有効ＤＣ電力などの、ＤＣ電力供給から供給される。
【０１２０】
言及された米国特許において開示されているショッピング端末は、ＴＶ、ケーブルＴＶ、ならびにセットトップボックス、ケーブルボックス、アンテナコンバータボックス、衛星コンバータボックス、および専用ショッピングボックスなどの、異なるよく知られたボックスを含む。したがって、ケーブルＴＶであれ、もしくはアンテナＴＶであれ、ＴＶ内部に、および／または上で言及されたよく知られたボックスのいずれかの内部に、回路２００を含むことが、有利である。
【０１２１】
ＴＶおよびボックスは、普通、住居のＡＣ電力線を介して電力を供給されるが、ＴＶまたはボックスのスイッチは、オフにされることがあり、回路２００が、ＴＶまたはボックスの電力供給を介して、電力を供給される場合、回路は、それがビデオインターフォン機能のために使用されるとき、入力コールに応答せず、さらに、回路２００は、ショッピングデータの更新、新たなローディング、ならびに／または他のアップグレードおよび／もしくは他の細目更新に応答しない。
【０１２２】
したがって、回路２００は、無極性伝送線を介して電力を供給されることが好ましい。回路１００、２００によって消費される電力は、事前に定められ、知られ、および／または計算され、好ましい電力供給は、事前計算された電流制御値である。制御された電流は、電力線路サージを渡さず、電流変動を防止し、それによって、一定の安定した電流フローを保証し、そうでなければ、ツイストペア線１０などの同じ線を介して伝搬させられる信号に影響を与える、電力供給源およびノイズを生じる負荷からの通信外乱を低減させる。
【０１２３】
米国特許（例えば、特許文献６を参照）は、与えられた持続時間にわたってビデオインターフォンに電力を供給し、十分に動作させることを可能にする、関連する再充電可能バッテリを含む、ビデオインターフォン回路に電力を供給するための、そのような制御された電流を開示している。言及された米国特許において挙げられている、ショッピング端末およびビデオインターフォンは、そのような充電回路および関連する再充電可能バッテリも提供される。
【０１２４】
ショッピング端末回路２００および／または専用ショッピング端末は、普通、１日２４時間、週７日、完全にアクティブであることを予期されない。専用ショッピング端末は、１回当たり１時間未満の短い時間動作することが予想される。一定の事前に定められた制御された電流で連続的に充電されている再充電可能バッテリによる、１日当たり数時間の動作持続時間は、ｉＰａｄおよびモバイルフォンのために到るところで使用されるような、低コスト再充電可能バッテリの範囲内に十分にある。
【０１２５】
図６に示されるようなメインユニット６９０のメイン電力供給１５は、デュアルコイル１５３、１５４を介して制御された電流の電源を接続する端子１５０、１５１を介して、及び端子１０Ａ、１０Ｂを介して、制御された電流をツイストペア線１０に供給する。示される単一のコンデンサ１５２は、任意の残存オーディオ、ＡＳＫ、ＦＳＫ、またはＦＭ信号を短絡するための、分路コンデンサである。コンデンサ１５２は、単一のコンデンサとして示されているが、しかしながら、セラミック、タンタル、マイラ、または電解、およびそれらの組み合わせなどの、いくつかのコンデンサが、代わりに使用されることもできる。
【０１２６】
コイル１５３、１５４は、好ましくは、透磁率が非常に高いコアを使用する１ヘンリーなど、非常に大きいコイルであり、コイル巻線および抵抗は、端子１０Ａ、１０Ｂにおける、またはツイストペア線１０沿いの短絡がコイルに損傷を与えないことを保証するように計算される。大きいコイルは、非常に大きいインピーダンスを提示し、信号をＤＣ電力から完全に分離するために、コンデンサ１５２と一緒になって、いずれの信号も電力源に到達しないようにする。
【０１２７】
コイルの巻線は、ワイヤおよび極性の不注意な接続および取り扱いミスが、コイル自体、メインユニット、その回路および電力コンポーネントを含むコンポーネントに損傷を与えないことを保証するように、設計および作製されることが好ましい。さらに、無極性接続は、接続極性を遵守する必要性から設置者を解放する。無極性は、設置者が、どの極性とでも任意に、ツイストペアを端子１０Ａ、１０Ｂに接続することを可能にし、もちろん、接続の間に短絡が引き起こされないという条件で、ＤＣ極性に関わらず、回路は、適切に機能する。
【０１２８】
ツイストペア１０を通して供給される電力は、その他端において、図２Ａに示される端子１１Ａ、１１Ｂに接続され、それは、信号をフィルタリング除去し、無極性電力をブリッジ整流器２５５に供給するための大きいコイル２５６、２５７に接続される。よく知られたブリッジ整流器は、
【０１２９】
【数７】
2018014112.tif 000009
【０１３０】
および
【０１３１】
【数８】
2018014112.tif 000010
【０１３２】
として示される分極端子を介して、正しく分極された電力を出力し、それをフィルタリングおよび蓄電コンデンサ２５４に、およびレギュレータ２５３に供給する。
【０１３３】
レギュレータ２５３は、調整された出力を、他のフィルタリングおよび蓄電コンデンサ２５２に、およびＶＣＣ端子２５０、２５１に供給し、充電可能バッテリ２３０の充電を含まない、ショッピング回路によって消費される電圧および電流にふさわしい、定められた電力を提供する。
【０１３４】
ビルトインバッテリ２３０は、回路２００に導入されることができ、またはそのようなバッテリは、ショッピング端末と関連付けられ、またはショッピング端末に接続されることができる。好ましくは、バッテリは、回路２３１によって接続および充電されるべきである。充電回路２３１は、使用されるバッテリのタイプにふさわしく、また適切な充電率にふさわしい。充電率は、事前に定められた制御電流の一部または分配でなければならない。
【０１３５】
一定の事前に定められた電流は、スタンバイモードにあるショッピング回路２００の動作と、バッテリ２３０の適切な充電とを同時に可能にするように、計算される。図１１Ａのショッピング回路２０が、ディスプレイ２０９を含むすべてを稼働させて、動作しているとき、充電されたバッテリ２３０は、必要とされる電力を提供する。
【０１３６】
関連する再充電可能バッテリ２３０などの導入は、回路２００への電力供給を含む選択上の問題である。好ましい実施形態のバッテリ２３０は、少なくとも回路２００に、ならびにランダムにおよび／または与えられた事前に決定された時刻に更新されなければならない、図１１Ｂの多くの写真４６、価格４７、配送４８、および在庫４９を保存するメモリ２０８を含む、ショッピング回路の少なくとも一部に電力を供給するために選択される。
【０１３７】
回路２００に接続されるＣＰＵ２０５およびメモリ２０８を備えるショッピング回路２１は、少なくともスタンバイモードのために電力を供給され、常にショッピング細目の更新およびアップグレードを受信する準備ができていなければならず、ショッピング端末の電力オン−オフスイッチに依存してはならず、またはショッピング端末もしくはビデオインターフォンを電力源に接続するＡＣ電力コードをプラグから引き抜くことによって、電力を絶たれてはならない。
【０１３８】
図２Ａは、ツイストペアケーブル１０の反対端に２つの回路を接続するための、電力出力回路２５０〜２５５、バッテリ２３０、およびバッテリ充電器２３１を除いて、回路１００とほとんど同一である、図１Ａに示された回路に対して反対側の回路を示している。
【０１３９】
ビデオ／ＦＳＫ変調器／復調器２０２、双方向ＡＳＫ変調器／復調器２０３、及びパッケージ全体２０１は、図１Ａの同じパッケージＩＣ１０１と同一である。同じことが、演算増幅器およびドライバ２２０〜２２３、リファレンス抵抗器２８０〜２８７、結合コンデンサ２７０〜２７７、ＢＰＦ２２６、２２７、ＨＰＦ２２４、２２５、ＮＰコンデンサ、線路変成器２４２、ならびにハンズフリー音声ＩＣ２０６にも当てはまり、それらは、図１Ａに示され、上で詳細に説明された回路と同一または同様である。
【０１４０】
基本的な相違は、電力接続端子２５０〜２５１を有するブリッジ整流器２５５、信号端子２６０〜２６３、およびバッテリ端子２３２、２３３である。図１Ａの端子１５０、１５１は、電力源に接続されるが、端子２５０、２５１は、ＶＣＣを回路２００に出力する。回路１００のためのＶＣＣは、メインユニットまたはマトリックス６００のユニットメイン電力供給１５から、図１Ａの端子１６４、１６５に直接的に供給される。
【０１４１】
端子２６１からのアウトバウンドビデオ、および端子２６０へのインバウンドビデオは、回路１００の端子１６０からのアウトバウンド、および端子１６１へのインバウンドに対して逆になるように示されている。制御およびコマンド端子１６２は、図７における回路のメインまたはマトリックスコントローラ５３５とＡＳＫ信号を通信しており、図２Ａの同じ制御およびコマンド端子２６２は、図１１Ａおよび図１１Ｂにやはり示されるショッピング端末のメインＣＰＵ２０５と通信している。
【０１４２】
ＦＳＫ  ｉｎ−ｏｕｔは、双方向ＦＳＫデータを、端子２６３、ツイストペア１０を介して、および回路１００の端子１６３を介して、図１１Ａおよび図１１Ｂに示されたメインもしくはマトリックスコントローラ５３５と、またはサーバ８と通信する、図１１Ａおよび図１１Ｂに示されるショッピング端末のメモリ２０８に、およびそれから伝搬させられる。
【０１４３】
図３Ａは、ＦＳＫまたはＦＭ変調ビデオを、回路１９０から図４Ａの回路２９０への一方向伝搬にのみ限定することによって、図１Ａの回路１００に類似する、回路１９０を示している。一方向ＦＳＫ回路は、閉回路ｅコマースにとって、特に、図１１Ａおよび図１１Ｂにおいて２０８として示されたメモリ内に保存された、ショッピング端末の保存されたデータを更新する必要性のために必須である。一方向ＦＭ変調ビデオは、訪問者の画像を送信するために、ビデオインターフォンシステムにとって必須である。
【０１４４】
同じことが、図２Ａの回路２００であるが、回路１９０から回路２９０へのＦＳＫまたはＦＭ変調ビデオの一方向伝搬のみを行う、図４Ａの回路２９０にも当てはまる。回路１９０、２９０はともに、ＶＩＤ／ＦＳＫ回路１０２を部分的に使用し、回路１９０は、回路１０２Ａを、変調機能のみに制限し、ＦＳＫ／ビデオセレクタ１０４Ａを、ビデオまたはＦＳＫデータの間でインバウンド信号を選択するための単一のセレクタとして制限する。別の変更は、端子１６０、２６１を含む、すべての周辺コンポーネントを伴った、差動増幅器−ドライバ１２０および差動増幅器２２１の除去である。
【０１４５】
図１Ａおよび図２Ａに示され、図３Ａの回路１９０および図４Ａの回路２９０に関連して上で言及されていない、他の要素、端子、およびコンポーネントは、４つの回路１００、２００、１９０、２９０で同様であり、共通である。さらに、図１Ａおよび図２Ａ、または図３Ａおよび図４Ａのいずれか一方の要素、端子、およびコンポーネントに対して行われた言及および説明は、特に、回路１００と回路１９０、および回路２００と回路２９０で同じである。
【０１４６】
双方向オーディオ信号、コマンド、制御、警報、緊急、ショッピング、コード化データ、他の任意のデータ、およびそれらの組み合わせを含む群から選択される、一方向および双方向ＡＳＫ信号、一方向または双方向ＦＭ変調ビデオ信号またはＦＳＫデータ、制御されたＤＣ電流の供給を含む制御、ならびにそれらの組み合わせを伝搬させるために、単一のツイストペアが、メインルータまたはマトリックスユニットと、与えられた住居または他の建物の単数のユニットのショッピング回路との間に接続されることができることが、図１Ａの回路１００、図２Ａの回路２００、図３Ａの回路１９０、および図４Ａの回路２９０から明らかになる。
【０１４７】
再充電可能バッテリは、前記建物の単数のユニットのショッピング端末の回路２００に接続され、それと関連付けられ、またはそれに組み込まれることができることも明らかになる。
【０１４８】
ショッピング端末が、ＴＶセットもしくは専用ショッピング端末、または建物もしくは家屋のビデオインターフォンに接続されないよく知られたボックスであり、エントリパネルまたはセキュリティカメラのようなユニットからのビデオが、ショッピング端末に伝搬されない場合、図３Ａの回路１９０および図４Ａの回路２９０は、それぞれ、ビデオ／ＦＳＫセレクタ１０４Ａおよび２０４Ｂ、ならびに端子１６１および２６０を排除することによって、さらに縮小されることができる。
【０１４９】
そのような縮小された回路に、一方向または双方向ビデオを除く、上で言及された他のすべての信号とともに、双方向ＦＳＫ伝搬を提供するために、ＦＳＫ／ビデオセレクタを除去し、ビデオ伝搬を行わないように、図１ＡのＣＰＵ１０５および図２ＡのＣＰＵ２０５のＦＳＫポートを固定的に接続することによって、端子１６０、１６１、２６０、２６１は、セレクタ１０４、２０４とともに、排除されることができるが、ＦＳＫ変調デジタルビデオ信号は、以下でさらに言及されるように、ＣＰＵ１０５およびＣＰＵ２０５を介して伝搬されることができることも明らかである。
【０１５０】
同様に、変成器１４２、２４２、ハンドフリーＩＣ１０６、２０６、コンデンサＮＰ、およびオーディオ端子１４０、１４１、２４０、２４１などの、すべてのオーディオコンポーネントを除去し、オーディオを含まない上で言及された信号のいずれかまたは組み合わせを伝搬させることが可能である。
【０１５１】
図１Ｂ、図２Ｂ、図３Ｂ、および図４Ｂを含む、図１Ａ、図２Ａ、図３Ａ、および図４Ａに示される、回路１００、１９０、２００、および２９０は、上で言及されたＤＣ電力供給を伴うまたは伴わない、上で言及された個々の信号およびそれらの組み合わせの選択された一方向および双方向通信のための、ベストプラクティスな回路を提供するために、変更され、サイズおよびコンポーネントの数について縮小されることができることも明らかである。
【０１５２】
図５Ａは、上で言及された回路１９０に接続されるビデオインターフォンシステムのエントリパネル４００のブロック図である。エントリパネルは、マイクロフォン４０１およびマイクロフォンドライバ４１１と、スピーカ４０２およびスピーカ増幅器４１２と、カメラ４０３およびカメラドライバ４１３と、ＣＰＵ４３０と、端子４０５を介するインバウンドマイクロフォン信号、端子４０６を介するアウトバウンドスピーカ信号、および端子４０７を介するインバウンドビデオを含む、組み合わされた３つの信号を接続／切断するためのスイッチ４２０とを備える。
【０１５３】
よく知られた選択キー、ディスプレイ、ならびにエントリパネルに一般的に設けられる要素および特徴は、図５Ａ、図５Ｂ、および図６Ａに示されていない。これは、図５Ａ、図５Ｂ、および図６Ａのエントリパネル４００が、図６Ａ、図６Ｂ、図７、および図８に示される、エントリパネル４００、ならびに／またはｅサービスおよび／もしくはｅショップ通信インターフェースモジュール４４０のいずれかからの、インターフェースモジュール４４０およびマトリックスまたはルータとも呼ばれるメインユニット６００を介する、インバウンド−アウトバウンド信号伝搬の本発明に特有なルーティング−選択を説明するためのものだからである。
【０１５４】
図５Ａ、図５Ｂ、図６Ａ、および図６Ｂに示されるスイッチ４２０は、説明を簡単にするために、機械的な接触スイッチとして示されている。本発明の好ましい実施形態は、よく知られた、ふつうは低コストで世界中の多くのＩＣ製造業者から入手可能な、デジタルまたはアナログのルーティングまたはスイッチングＩＣを利用する。
【０１５５】
音声およびビデオ信号は、アナログまたはデジタルであること、圧縮されるまたは圧縮されないことができ、デジタルオーディオおよびビデオ信号は、システムのＣＰＵ２０５、１０５、４３０、５３５を介して、転送される。アナログオーディオ信号は、端子１４０（ｍｉｃ．）および端子１４１（ｓｐ．）を介して転送され、カメラまたは他のビデオ源によるアナログビデオ信号は、端子１６１に接続され、転送される。
【０１５６】
カメラ４０３によって生成されるビデオ信号は、ビデオインターフォンシステムのエントリパネル４００とともに使用されるカメラに関連するが、しかしながら、ビデオインターフォンモニタが、図１１Ａおよび図１１Ｂのショッピング端末回路２０を備え、ビデオ信号が、端子１６１を介して接続され、転送される場合、図６Ａ、図６Ｂ、図７、および図８に示されるインターフェースモジュール４４０から供給される、任意のビデオ信号であることができる。インターフェースモジュールは、エントリパネル、ｅサービスおよびｅショッピングプロバイダとの結び付きを提供し、図５Ａおよび図５Ｂのエントリパネル４００の内部に示されるスイッチ４２０は、カメラ４０３によって生成された任意のビデオ信号、ならびに図１２Ａおよび図１３に示されるｅサービスおよびｅショッピングプロバイダから伝搬させられた任意のビデオ信号を接続および／または転送するために、図６Ａ、図６Ｂ、図７、および図８に示されるインターフェースモジュール４４０内に好ましくは含まれる。
【０１５７】
オーディオ信号が、マイクロフォン信号であれ、スピーカ信号であれ、および／またはカメラ信号もしくは上で言及された他の任意のビデオ信号を含むものであれ、デジタル信号である場合、接続および転送は、異なるように処理される。
【０１５８】
デジタルオーディオおよび／またはビデオは、より高速なＦＳＫ変調信号を通して転送される必要があり、したがって、マイクロフォン端子１４０、スピーカ端子１４１、およびビデオ端子１６１は、使用されず、代わりに、信号は、エントリパネル４００または４４０モジュールのＣＰＵ４３０のＩ／Ｏポート４３１〜４３３に接続および転送される。ＣＰＵ４３０は、信号を、Ｉ／Ｏポート４０１を介して、図７および図８にそれぞれ示されるメインユニット６００および６９０のメインＣＰＵ５３５に伝搬させる。
【０１５９】
メインＣＰＵ５３５は、オーディオおよびビデオデジタル信号を、回路１００の端子１６３に接続および転送する。図３の回路１９０および図４の回路２９０は、一方向のみのＦＳＫおよびＦＭ変調ビデオ伝搬を提供されるので、それらは、インバウンドマイクロフォン信号およびアウトバウンドスピーカ信号のために必要とされるような、双方向ＦＳＫ信号のために使用されることができない。それにも関わらず、図１１Ａに示されるメモリ２０８または図１１Ｂに示されるメモリバッファ２０８Ａ内に保存されたデータを更新またはアップグレードするために、一方向ＦＳＫデータを伝搬させるために、もっぱら使用されるモジュール４４０に対して、回路１９０、２９０は、使用されることができる。
【０１６０】
マイクロフォン信号およびスピーカ信号がアナログであり、カメラ信号のみがデジタルである場合、回路１９０、２９０が、使用されることができる。しかしながら、プログラムされたセレクタは、カメラ信号を、ＣＰＵ４３０を介して、およびＣＰＵ５３５を介して、端子１６３に接続および転送し、セレクタ１０４Ａ、１０４Ｂは、写真データを処理し、復号し、図１１Ａおよび図１１Ｂに示されるメモリ２０８内に保存するために、信号をＦＳＫ復調回路に転送する。保存されたビデオ信号が、圧縮されている場合、ＣＰＵ２０５は、ショッピング端末スクリーン２０９上に表示するために、信号を伸長する。
【０１６１】
訪問者が、タッチスクリーンを使用して、図５Ａのエントリパネル４００をアクティブ化し、訪問者が、キー、またはＲＦＩＤカードおよび写真識別などの他のタイプのアクセスを選択した場合、スイッチ４２０は、スピーカ（ｓｐ．）、マイクロフォン（ｍｉｃ．）、およびエントリパネルのカメラ４０３によって生成されたビデオ信号を接続する。
【０１６２】
ビデオインターフォン７０１または図１２のテレビ（ＴＶ）セット７０２と組み合わされて示されたショッピング端末と通信するために、ビデオ、マイクロフォン、およびスピーカ信号は、エントリパネルの端子４０５、４０６、４０７を通して、それぞれ、回路１００または回路１９０の端子１４０、１４１、１６１に供給される。図１２に示されるエントリパネルは、選択キー４０９、タッチスクリーンを含む表示スクリーン４０４、およびカメラ４０３を有するように示されている。
【０１６３】
図５Ａに示されるスイッチ４２０は、それによって、示された単一のエントリパネルと、線１０および回路２９０を介して、ビデオインターフォン７０１、または図１２に示された組み合わされたショッピング端末とＴＶセット７０２と通信するために、インバウンドマイクロフォンおよびカメラ信号を供給し、アウトバウンドスピーカ信号を受信する回路１９０との間のリンキングスイッチになる。図５Ａおよび図５ＢのＣＰＵ４３０が、図１２のビデオインターフォンまたはショッピング端末７０２によって生成されるスイッチオンコマンドに基づいて、メインＣＰＵ５３５によって制御されることができることは、明白に明らかである。
【０１６４】
図５Ｂは、ｎ個のエントリパネル４００−１、４００−２、４００−ｎを示しており、各々は、スイッチ４２０を含む。ＣＰＵ４３０は、エントリパネルの１つにおいて訪問者によってランダムに生成されるコマンドによってであれ、またはビデオインターフォンモニタ７０１もしくはＴＶセット７０２から生成および供給され、ＣＰＵ５３５を介して伝搬させられるコマンドによってであれ、ただ１つのスイッチ４２０をオンに切り換えるようにプログラムされる。ＣＰＵ４３０は、別のスイッチ４２０がオンに切り換えられる場合、スイッチ４２０へのスイッチオンコマンドを拒絶する。図５Ｂに示される接続構成は、２以上のエントリパネル４００を回路１００または回路１９０と結び付けることを可能にすることができないので、スイッチ４２０の動作をただ１つのスイッチに制限することは、重要である。
【０１６５】
図６Ａは、エントリパネル４００−１〜４００−ｎのいずれか１つを、回路１９０−１などの単一の回路１９０と、もしくはパネル４００のいずれか１つを、ｎ個の回路１９０のいずれか１つと選択的に接続するための、または複数のエントリパネル４００を、複数の回路１９０と接続するための、図５Ｂの拡張されたスイッチング回路を示している。図６Ａの回路は、回路１９０−ｎおよび回路１９０−１にそれぞれ接続された、２つのエントリパネル４００−２およびエントリパネル４００−ｎを示している。
【０１６６】
詳細には、エントリパネル４００−２は、ブロック６２０−ｎに示される組み合わせスイッチ５３０−ｎのスイッチ５３３−２を介して、回路１９０−ｎに接続される。エントリパネル４００−ｎは、ブロック６２０−１内の組み合わせスイッチ５３０−１のスイッチ５３３−ｎを介して、回路１９０−１に接続される。スイッチ４２０−１〜４２０−ｎは、ＰＣＢエリア内で最短の可能なリンキング線を提供するために、ブロック６２０内において、与えられたパターンで相互接続される。
【０１６７】
示されたｎ個の組み合わせスイッチ５３０−１、５３０−ｎは、各々、ｎ個のスイッチまたはルータ５３３−１、５３３−２、５３３−ｎを備える。各組み合わせスイッチ５３０のスイッチ５３３の数は、ｎであると示される、モジュール４４０を通して接続されるエントリパネル４００を含む、モジュール４４０の数と一致するように選択される。
【０１６８】
メインＣＰＵ５３５は、与えられた組み合わせスイッチ５３０のｎ個のスイッチ５３３のうちのただ１つを、選択された１つのスイッチ４２０と一緒に、オンに切り換えるようにプログラムされる。例えば、図６Ａは、スイッチ４２０−２および組み合わせスイッチ５３０−ｎのスイッチ５３３−２を介して、回路１９０−ｎと結び付くように命令された、エントリパネル４００−２と、スイッチ４２０−ｎおよび組み合わせスイッチ５３０−１のスイッチ５３３−ｎを介して、回路１９０−１と結び付くように命令された、エントリパネル４００−ｎとを、それぞれ示している。
【０１６９】
図５Ｂおよび図６Ａのエントリパネル４００は、省略されて示されており、図５Ａのドライバおよび／またはＩ／Ｏポート４３１〜４３３への信号接続を有していない。図６Ａのエントリパネル４００は、図を簡略化するために、省略されて示されているが、図１２に示されるタッチスクリーンを伴うディスプレイ４０４および選択キー４０９などの他の要素を含む、図５Ａに示されたのと同じブロックおよび回路を備えるものとして見られるべきである。
【０１７０】
さらに、図６Ａおよび図６Ｂに示される与えられた組み合わせスイッチ５３０または５４０のただ１つのスイッチ５３３または５４４が、オンに切り換えられることができること、および与えられた組み合わせスイッチ５３０または５４０の２つのスイッチ５３３または５４４は、同じエントリパネル４００または同じモジュール４４０と結び付けられないことが、大切であり、重要である。そのような制限は、回路１９０のいずれか１つが、エントリパネルのいずれか１つと直接的に結び付けられることができ、他の回路１９０は、同じエントリパネルと結び付けられることができないことを、明白に明らかにする。
【０１７１】
ＣＰＵ２０５、１０５、４３０、５３５のための好ましい実施形態プログラムは、２以上の回路１００、１９０、２００、２９０が、交差させられることがないように、または同じエントリパネル４００とであれ、もしくは後で説明されるように、同じエントリパネル、もしくは図７および図８にも示される、同じｅサービスおよびｅショッピングインターフェースモジュール４４０とであれ、一緒に結び付けられることがないようにする。
【０１７２】
建物のインフラストラクチャなど、ネットワーク内で使用されるスイッチまたはルータのプログラミングは、商取引のハッキングまたは悪用を防止するのに最良の方法を真剣に考慮しなければならない。イーサネットネットワークなど、ルータおよびハブを用いるネットワーク内で一般的に伝搬されるＴＣＰ／ＩＰ信号は、そのようなネットワークの多くのハブまたはルータを通して容易にアクセス可能であり、本発明の好ましい実施形態は、ピアツーピア通信のみのための物理ルーティングを提供することである。
【０１７３】
ボイスオーバＩＰ（ＶｏＩＰ）システム内で、例えば、よく知られたデジタルスイッチによって使用されるような、ＩＰデジタルスイッチを介する典型的なＩＰルーティングは、そのようなデジタルスイッチが、ピアツーピアリンクのためにプログラムされることができる場合であっても、好ましい実施形態ではない。
【０１７４】
商用環境において使用される、そのようなＩＰスイッチングＩＣは、ショッピング端末１００または１９０と、図７〜図１０に示されるエントリパネル４００またはモジュール４４０との間で、安全性の高い制限的な相互接続を用いるようにプログラムされなければならない。それにも関わらず、それは、暗号化および他の複雑でコストのかかるプログラムを含む、非常に高いレベルのセキュリティ保護が適用されない限り、建物内からのハッカを防ぐのに十分に安全であることができない。
【０１７５】
これが理由で、本発明の好ましい実施形態は、各線１０のインテグリティ、ならびに２つの線１０が、交差させられること、または物理的に侵入されることができないこと、および建物内からの住居またはオフィスへの接続が、別の登録されたユーザとして誤識別されること、または誤って診断されることができないことを保証するようにプログラムされた、スイッチングまたはルーティングデバイスを使用する。
【０１７６】
雑居ビルのために使用されるインフラストラクチャネットワークのスイッチまたはルータのために設計されるプログラムは、特に、インフラストラクチャが、ｅショッピング、ならびに銀行取引、クレジットカード、および保険サービスを含み得るｅサービスなどの、商目的で使用される場合、ハッキングおよび悪用を防ぐための、高いレベルのセキュリティプログラミングを含まなければならない。
【０１７７】
住居用ビルのためのそのような高いレベルのプログラミングは、特に、ネットワークが、よく知られたイーサネットなどの、ローカル（ＬＡＮ）ＩＰネットワークである場合、きわめてコストがかかる。イーサネットネットワークにおいて使用される、普通に入手可能なハブおよびルータに基づいたインフラストラクチャは、上で述べられたように、システム内から容易に侵入されることができる。
【０１７８】
単に、ＲＪ４５コネクタをビルの内部ネットワークのスイッチングハブもしくはルータから引き抜き、それをハッカのＰＣに結び付けられたＲＪ４５プラグによって置き換えることが、知識のあるハッカに、侵入するための簡単な手段を提供し、またはそれは、内部からシステムに入り、それを悪用することを誘うものと見なされ得る。したがって、暗号化および他のよく知られたファイアウォールを含む、安全性の高いＩＰ  ＬＡＮシステムであっても、一般に脆弱なネットワークに接続されることを拒否する、ほとんどの金融機関によって拒絶される。
【０１７９】
上で言及された選択された通信は、データならびにコマンドおよびプロトコルの通信が、インバウンドおよびアウトバウンド方向に、ＡＳＫおよびＦＳＫ変調信号ならびにビデオおよびオーディオ信号を使用して伝搬させられることを可能にする１つであり、それらのすべては、オーディオストリームを介する命令されたＡＳＫストリームによる継続のために、ＦＳＫストリームを中断するなど、異なるルートを介する同期が取られたランダムなタイミングでのデータまたは取引を指示する、指示的コマンドおよびプロトコルを含むように好ましくは使用される。
【０１８０】
接続された単一のツイストペア上の通信媒体の間のそのような同期の取れたスイッチングは、事前構成された取引のためのランダムな同期の取れた指示コマンドを処理し、ビルの内部通信線を介してシステムに侵入しようとするいかなる試みも完全に防御し、本発明で使用されるプログラミングの別の好ましい実施形態である、２つの回路１００と回路２００の間のスター型構成である。
【０１８１】
建物内からのスイッチおよび／またはツイストペア線１０への物理アクセスを防止するシステムを有することが好ましい。例えば、回路１００と回路２００の間の示された線１０は、図７〜図１０のメインユニットまたはマトリックス６００、６５０、６７０、または６９０と、建物の各アパートまたはユニットの個々の各回路２００または２９０との間の直接接続として示される、ピアツーピアのスター型接続を形成している。
【０１８２】
さらに、スイッチは、図６Ａおよび図６Ｂにおいて、機械的スイッチのセットまたは多極スイッチの組み合わせとして示され、４２０、５３３、または５４４などと、個々に番号付けされているが、本発明の好ましい実施形態のスイッチは、組み合わされて、図６Ａおよび図６Ｂのスイッチ４２０にも同じく適用される、上で言及された信号の組み合わせをオンに切り換えるまたは同時に結び付けるための共通コマンドを有する、よく知られたゲートアレイ（ＦＰＧＡ）、および／またはアレイ５３０、５４０などのマルチチャネルアレイを有する大規模マルチプレクサなど、１または非常に少数のＩＣパッケージ内に収められる。
【０１８３】
ルータアレイ５５０のスイッチ５５１〜５５４およびルータアレイ５６０の５６１〜５６３など、他の示されたスイッチは、共通の端子、ならびに個々に各チャネルに命令するための、およびそれを結び付けるための多極チャネルを有し、図９のブロック６３０および図１０のブロック６４０含まれ、それぞれ、各々がｎ個の複数の回路１００および回路１９０に接続される。
【０１８４】
ＶｏＩＰおよびＩＰビデオ信号を含む、ＡＳＫおよびＦＳＫ  ＩＰ信号が、メインユニット６００、６５０、６７０、または６９０を通して伝搬させられる場合、上で言及された好ましい実施形態のスイッチは、よく知られたデジタルスイッチをさらに含み、メインユニットまたはマトリックス６００、６５０、６７０、または６９０のためのプログラムは、メインユニットの回路１００または１９０と、建物の各アパートまたはユニット内の図１２に示されるビデオインターフォン７０１またはショッピング端末７０２の回路２００または２９０との間で、固定的に接続された単一のツイストペア１０を介して、直接的なピアツーピア接続を維持するように、好ましくはプログラムされる。
【０１８５】
図６Ａ、図６Ｂ、および図７は、ｎ個のエントリパネル４００またはｅサービスもしくはｅショッピングインターフェースモジュール４４０を、図１１Ａ〜図１３に示されるショッピング回路２０を含む、ｎ個のビデオインターフォンモニタまたは他のディスプレイ電気器具と選択的に接続するために、回路１００と回路２００または回路１９０と回路２９０のｎ個のペアの間で、固定的にアタッチされたｎ個のツイストペア線１０を介して、制御された電流のＤＣ供給を含む、双方向ビデオ、ＦＳＫ、ＡＳＫ、およびオーディオ信号を接続または結び付けるための、ルーティングユニット、ルータ、またはマトリックスとも呼ばれる、メインユニット６００、６９０を示している。
【０１８６】
エントリパネル、ｅサービスおよびｅショッピングモジュール４４０は、図５Ａに示される回路を備えるが、スイッチ４２０は有さない、図１２に示されるような、基本エントリパネル４００を操作するための、ＣＰＵ４３０を含み、図７には示されていないが、図６Ａおよび図６Ｂには示されている、スイッチ４２０を備える、接続モジュールである。
【０１８７】
そのような構成によって、図５Ｂのエントリパネル４００−１〜４００−ｎのマイクロフォン線、スピーカ線、およびカメラ線を供給するスイッチ４２０は、遠くのメインユニット６００の端子にリモートに接続される必要がなく、好ましくは、それらは、図６Ａのブロック６２０−１〜６２０−ｎおよび図６Ｂのブロック６１０−ｎの内部に示されるような、図６Ａおよび図６Ｂのスイッチ５３３または５４４のすぐ近くに位置付けられる。各エントリパネル４００は、それによって、各線が適切に終端させられる、メインユニット内の与えられた終端点に直接的に接続される。
【０１８８】
示された長さが定められていない線が、図５Ｂにおいて、開いたスイッチ４２０に接続される場合、適切な終端は、可能ではなく、線の端部を、高い定在波比を有する貧弱または不良な終端を引き起こす、オープンテールの状態のままにする。
【０１８９】
そのような理由のため、ならびにシステムの線の相互接続および終端を簡略化するため、スイッチ４２０からのすべての接続４０５、４０６、４０７、４０８が、中央接続点に入り、図７のメインユニット６００のブロック６１０−１〜６１０−ｎの内部の４極スイッチもしくはルータ５４４、または図８のメインユニット６９０のブロック６２０−１〜６２０−ｎの内部の３極スイッチもしくはルータ５３３にそれぞれ達することを提供することが好ましい。
【０１９０】
ルータアレイ５４０の各スイッチ５４４は、ｎ個の回路１００の各々についてのｍｉｃ．、ｓｐ．、インバウンドビデオ、およびアウトバウンドビデオを結び付けるために、図７に示される４極を介して、４つの信号すべてを結び付けるように動作させられる。図８に示されるルータアレイ５３０の３極スイッチ５３３は、アウトバウンドＦＭビデオを提供せず、第４極を使用しない、回路１９０に接続する。スイッチ５３３、５４４は、それらの間の相互接続が非常に短くなるように、ブロック６１０、６２０の小さいプリント回路基板（ＰＣＢ）エリア内に集中させられる。
【０１９１】
スイッチ４２０は、モジュール４４０のＣＰＵ４３０を介して、動作させられ、好ましくは、それぞれ回路１００、１９０のすぐ近くに位置付けられる。回路２００と交換されるｍｉｃ．、ｓｐ．、インバウンドビデオ、およびアウトバウンドビデオ信号をスイッチングまたはルーティングするための、図７に示される４極スイッチもしくはルータ５４４、または図８に示される３極スイッチもしくはルータ５３３を各々が備える、ｎ個の回路１００または１９０と、信号の組み合わせを交換するために、すべてのスイッチを小さいエリア内で組み合わることが、さらに好ましい。
【０１９２】
メインユニット６００が、図１Ａの回路１００を接続するように構成されるとしても、回路１００の代わりに、図３Ａの示された回路１９０が、導入されることができる。回路１００と回路１９０の間の相違は、回路１９０が、ＦＭビデオ信号のためのアウトバウンド回路も、端子１６０も提供されないことである。したがって、回路２００の端子１６０を介してアウトバウンドＦＭビデオを接続する、スイッチ５４４の第４極は、回路１９０が接続される場合、アウトバウンドＦＭビデオ信号を伝搬させないが、ｍｉｃ．、ｓｐ．、およびカメラ信号を含む、他のすべての上で言及された信号は、速やかに伝搬させられる。
【０１９３】
図８は、図７のメインユニット６００に類似したメインユニット６９０を示している。相違は、回路１００において使用される４極スイッチまたはルータ５４４の代わりに、各回路１９０のために３極スイッチまたはルータ５３３を使用することである。回路１９０は、アウトバウンドＦＭ変調ビデオを伝搬させないので、アウトバウンドビデオ端子１６０およびアウトバウンドビデオセレクタ１０４は、必要とされず、回路１９０内に含まれない。
【０１９４】
それにも関わらず、図１１Ａの回路２０が、デジタルビデオ源を提供される場合、ショッピング回路は、ＣＰＵ２０５、１０５を介して、図１１ＡのＣＰＵ５３５のＩ／Ｏポートを通して、アウトバウンドＦＳＫ変調デジタルビデオ信号を供給するために、デジタルビデオ信号を生成および変調する。
【０１９５】
双方向ＡＳＫ信号は、１２５Ｋボーの好ましいレートで、ＣＰＵ１０５、２０５、５３５、４３０の間で伝搬させられる。ＡＳＫ信号は、ビデオインターフォンモニタ７０１、ショッピング端末７０２、回路１００、１９０、２００、２９０、エントリパネル４００、インターフェースモジュール４４０、メインユニット６００、６５０、６７０、６９０、システムサーバ８など、システムのすべての要素、ユニット、およびデバイスを介して、ランダムにいつでもアクセス可能である。
【０１９６】
図７のメインユニット６００および図８のメインユニット６９０はともに、同じツイストペア１０を介する回路２００または２９０への制御されたＤＣ電流の供給を含む、回路１００または１９０を介する、および２つの回路１００と回路２００または回路１９０と回路２９０を固定的に接続する単一のツイストペア１０を介する、選択された回路２００または２９０のいずれかとのＡＳＫおよびＦＳＫ信号の交換を行うために、モジュール４４０のいずれかが、ＣＰＵ２０５、１０５を含むスイッチまたはルータ４２０、５３３、５４４を選択的に介して、上で言及された信号の一方向および双方向組み合わせを選択的に伝搬させることができることを明らかに示している。
【０１９７】
図９は、組み合わせルータ５５０のセレクタまたはスイッチもしくはルータ５５１〜５５４を介する、別のスイッチングまたはルーティング構成を示している。組み合わせルータ５５０の示された個々のスイッチ、セレクタ、またはルータ５５１〜５５４は、各スイッチまたはルータ当たりの極の数、使用されるスイッチまたはルータの数によって、ならびに図７に示されるスイッチもしくはルータ４２０と５３３のペア、または図８に示されるスイッチもしくはルータ４２０と５４４のペアを単一のコマンドを介して動作させることによって、スイッチまたはルータ４２０、５３３、５４４の３極または４極のすべてが、回路２００または２９０を、線１０および回路１００または１９０を介して、モジュール４４０と結び付けるために、同時に動作させられるという、適用される制御によって、示されたスイッチ４２０および組み合わせスイッチ５３０のスイッチもしくはルータ５３３または組み合わせスイッチ５４０のスイッチもしくはルータ５４４とは異なる。
【０１９８】
対照的に、図９および図１０に示されるルータは、（図７〜図１０には示されていない）モジュール４４０内のスイッチまたはルータ４２０が、３つの極を切り換えることによって、３つの上で言及されたｍｉｃ．、ｓｐ．、およびインバウンドビデオまたはカメラ信号を、図７の組み合わせスイッチもしくはルータ５４０、もしくは図８の組み合わせスイッチもしくはルータ５３０を介して、または図９の組み合わせルータ５５０、もしくは図１０の組み合わせルータ５６０を介して、選択されたエントリパネル４００に結び付ける、図７および図８におけるのと同じ方法で選択的に動作させられる、異なるスイッチング構成を示している。
【０１９９】
疑問がないように言うと、スイッチ４２０、５３３、５４４、５５１〜５５４、５６１〜５６３は、説明を簡略化する目的で、電気的な接触スイッチとして示されているが、しかしながら、スイッチング、ルーティング、または選択デバイス４２０、５３３、５４４、５５１〜５５４、５６１〜５６３は、機械的な接触であることができ、好ましくは、多くの半導体製造業者から低コストで入手可能な、ルータ、セレクタ、マルチプレクサ、および他の良く知られたＦＥＴもしくは他のスイッチングトランジスタ、またはパッケージ化されたＩＣとして知られる、半導体デバイスである。
【０２００】
これ以降で「マルチルータ」と呼ばれるスイッチ４２０、５３３、または５４４の極は、各々が、同時に動作させられる３極または４極を含む。セレクタ５５１〜５５４、５６１〜５６３を含む、これ以降で「ポートセレクタ」と呼ばれる他のスイッチは、根本的に異なる。各セレクタは、ｉｎ−ｏｕｔ（Ｉ／Ｏ）のｎ個のポートとともに、ルータの共通ポートを備え、各ポートは、個々に制御される。
【０２０１】
「マルチルータ」および「ポートセレクタ」の両方のタイプは、モジュール４４０の１つを回路１００または１９０の１つと接続するように、選択的に動作させられる。スイッチまたはルータ４２０、５３３、５４４の各々は、図７および図８では、回路１００または１９０の１つとモジュール４４０の１つの間で、または複数の回路１００または１９０と複数のモジュール４４０の間で、マイクロフォン、スピーカ、インバウンドビデオ、およびアウトバウンドビデオを含む、信号の組み合わせを結び付けるように示されている。
【０２０２】
図７の４極スイッチ５４４は、ｍｉｃ．、ｓｐ．、インバウンドビデオ、およびアウトバウンドビデオを、モジュール４４０の１つと結び付け、図８のメインユニット６９０の３極スイッチ５３３は、アウトバウンドＦＭビデオ信号を結び付けず、または伝搬させない。
【０２０３】
図９および図１０は、共通ポートおよびｎ個のＩ／Ｏポートを備え、「ポートセレクタ」と呼ばれる、ルータ５５１〜５５４およびルータ５６１〜５６３を介する、マイクロフォン、スピーカ、インバウンドビデオ、およびアウトバウンドビデオ信号の選択的なルーティングを示している。図９および図１０は、メインユニット６５０のルータ５５１〜５５４、またはメインユニット６７０のルータ５６１〜５６３と、図７および図８に示されるメインユニット６００のスイッチ５４４、またはメインユニット６９０のスイッチ５３３との間の相違を、明らかに示している。
【０２０４】
各回路１００当たりの「マルチルータ」５４４の数、または各回路１９０当たりの「マルチルータ」５３３の数は、モジュール４４０を介してメインユニットに接続されるエントリパネル４００の数でもある、図７のメインユニット６００および図８のメインユニット６９０に埋め込まれた、または接続されたモジュール４４０の数に等しい。
【０２０５】
それぞれ、図１０のメインユニット６７０の各ブロック６４０では、ｎ個の回路１９０のために、ただ６個の「ポートセレクタ」５６１〜５６３が使用され、図９のメインユニット６５０の各ブロック６３０では、ｎ個の回路１００のために、ただ８個の「ポートセレクタ」５５１〜５５４が使用される。
【０２０６】
一方の側では各ブロック６３０または６４０当たりの回路１００または１９０の数に、また他方の側ではメインユニット６５０または６７０に接続された、または埋め込まれたモジュール４４０の数に等しい、ｎ個のＩ／Ｏポートを各「ポートセレクタ」に導入することによって、ｎ個の線１０を結び付ける、ブロック６３０または６４０当たりただ８個または６個の「ポートセレクタ」を備える組み合わせルータアレイの使用が、可能にされる。モジュール４４０の数は、それぞれ、モジュール４４０を介して、メインユニット６７０、６５０に接続される、エントリパネル４００の数でもある。
【０２０７】
モジュールおよび回路１００、１９０の数は、例えば、１６または３２など、有限な数であるので、「マルチルータ」または「ポートセレクタ」の両方のタイプを利用するための実際的な制限は、存在しない。どちらを選択するかは、コストに依存し、また与えられた建物インフラストラクチャのために、いくつのモジュール４４０およびいくつの接続線１０が必要とされるかに基づく。
【０２０８】
図１１Ａは、ショッピング端末２０が、単一のツイストペアを介して、メインユニット６００、６５０、６７０、または６９０に接続され、それが、内部線７を介して、サーバ８にさらに接続され、それが、ネットワーク５内の仮想プライベートネットワーク（ＶＰＮ）であるとして示されたネットワーク５に接続される、電気的なブロック図を示している。
【０２０９】
ショッピング端末２０は、コントロールによって操作されるディスプレイおよびタッチスクリーン２０９と、ＣＰＵ２０５、「端末メモリ」と呼ばれるメモリ２０８、および回路２００または２９０を備える、通信および電力回路２１とを備える。回路２１は、ビルトインもしくはオプションの再充電可能バッテリ２３０、またはショッピング端末に電力を供給するために任意のよく知られたＤＣ電力供給もしくはＡＣアダプタに接続するための端子２３１〜２３２を介する外部電力供給をさらに備える。
【０２１０】
好ましい実施形態では、再充電可能バッテリ２３０を含むが、動作モードのみ、スタンバイモードのみ、またはスタンバイモードと動作モードの両方において電力を供給するために、他の任意の電力供給が、代わりに使用されることができる。外部電力供給の使用は、バッテリ２３０の使用を排除し、または図１Ａおよび図２Ａのコイル１５３、１５４、２５６、２５７、整流器２５５、レギュレータ２５３、充電回路２３１、コンデンサ１５２、２５４、２５２、端子１５０、１５１、２３２、２３３、２５０、２５１などの、電力端子および電力コンポーネントを含む、上で詳述されたツイストペア１０を介する、全電力供給の使用を排除する。
【０２１１】
図１１Ａは、ＣＰＵまたはシステムコントローラ５３５と、やはり図７〜図１０に示されるスイッチングまたはルーティングアレイ５３０、５４０、５５０、または５６０と、ＣＰＵ５３５にアタッチされたメモリ５３６と、ｎ個のインターフェースモジュール４４０と、ＶＣＣをシステムに供給するための、および制御された電流を端子１５０、１５１を介して供給するための電力供給１５と、ｎ個の回路１００または１９０とを備える、図７〜図１０に示されるメインユニット６００、６５０、６７０、６９０のいずれかであることができる、メインルータまたはマトリックスユニットも示している。
【０２１２】
図１１Ａのシステムコンポーネントの示されたブロック図は、建物の住居またはオフィスまたは会社ユニットの電力スイッチステータスに関わらず、ショッピングおよびサービスデータの更新を可能にするための、少なくともスタンバイモードの電力供給を行う、単一のツイストペア１０によって、各ショッピング端末２０毎に相互接続される、ショッピングプラットフォームの単純な構造を明らかに識別する。
【０２１３】
図１１Ａは、サーバへの、さらには、無線ネットワーク拡張５Ａを含む、専用ネットワーク、プライベートネットワーク、公衆ネットワーク、インターネット、およびそれらの組み合わせを含む群から選択される、ネットワーク５へのメインユニット接続を示している。無線ネットワーク拡張は、モバイル、Ｂｌｕｅｔｏｏｔｈ（登録商標）、ＷｉＦｉ、およびそれらの組み合わせを含む群から選択される。ネットワーククラウド５内に示されるＶＰＮは、無線ネットワーク５Ａを含む、上で言及されたネットワーク５のいずれかに適合させられた、仮想プライベートネットワークプログラムである。
【０２１４】
ＷｉＦｉまたはモバイルまたはＢｌｕｅｔｏｏｔｈネットワーク５Ａのアンテナは、ＶＰＮクラウドを介して動作させられるものとして示されているが、ＷｉＦｉまたはＢｌｕｅｔｏｏｔｈ信号を伝達するためのサーバ８に直接的に接続されて、例えば、配送員もしくはサービスマンによって持ち運ばれるハンドヘルド配送タブレットもしくは配送デバイス８２０と、または図１４および図１５Ｂに示される、配送が建物内またはローカルな近隣の住居ユニットの住人に対して行われるものであることを知らせるための、類似の配送ユニット８６０を含む、配送スマートカートであることができるものと通信することができる。そのようなＲＦ配送タブレットまたはデバイスも、米国出願（例えば、特許文献５を参照）（３９ページ、３〜１２行）において開示されている。
【０２１５】
図１１Ｂは、これ以降で「端末メモリ」と呼ばれるメモリ２０８に対するロード、アップグレード、および更新と、ショッピング端末２０を介してｅショッピングおよびｅサービスを選択するための表示ページの呼び出しとを簡略化して示している。示される表示ページのメモリバッファ２０８Ａへの呼び出しは、上で言及された係属中の米国出願（例えば、特許文献５を参照）において詳述されている。
【０２１６】
図１Ａ〜図４Ｂの回路１００、１９０、２００、２９０の使用が、進行中の通信を妨害することなく、ランダムに、またはスケジュールされたように定期的に、端末メモリに対するロード、アップグレード、および／または更新を受信し、設定するために、バッテリ２３０を充電し、ＣＰＵ２０５およびメモリ２０８のためのスタンバイ電力を維持するように計算された、制御されたＤＣ電流を供給する、単一のツイストペア１０を介して、最大で５．０Ｍｂの高速なＦＳＫデータを提供することが明らかになる。
【０２１７】
直接ピアツーピア接続における２００ｍまたは６５０ｆｔ超のツイストペアケーブル長は、住居用もしくはオフィス用高層ビルまたは集合住宅のショッピングインフラストラクチャの内部線を介して伝搬させられる通信のセキュリティを大幅に改善するが、それにも関わらず、大規模な集合住居に対してショッピングおよびサービスデータを瞬時にいつでも更新するのに必要とされるスピードを提供することが、さらに明らかになる。
【０２１８】
さらに、ＦＳＫデータは、システムの動作および信号伝搬に合わせて、異なる回路に同期を取って命令するために、高速双方向ＡＳＫデータによって増強およびサポートされる。データを更新するための異なる同期が取られたプログラム、ショッピングおよび操作コマンド信号を、単一のツイストペア１０を介して提供する。
【０２１９】
一定の電流供給を含む、すべての上で言及された信号を伝搬させるために単一のツイストペア１０を使用することが有利であるとしても、双方向ＦＳＫのための１つのペア、双方向ＡＳＫのための１つのペア、オーディオおよびＦＭ変調ビデオのための１つのペア、ならびにＤＣ電力を供給するための第４のペアなど、各々が信号の１つまたは２つを伝搬させる、４つのツイストペアを含む標準的なＣＡＴ５ケーブルを、ピアツーピア接続のために使用することも同様に可能であり、その場合、電力は、制御された電流供給である必要はなく、代わりに、調整された電圧供給であることができる。
【０２２０】
１０〜２０ＭＨｚのキャリア周波数を有する高速ＦＳＫデータの使用は、２００ｍまたは６５０ｆｔをはるかに超えて、ＦＳＫ信号を伝搬させることを可能にする。電力供給は、回路２００または２９０に電力を供給するための、および例えば、５０ｍＡのトリクル充電を用いて、再充電可能バッテリに充電するための、電力供給であることもできる。したがって、単一の無極性ツイストペアのより低い設置コストの利点が、意味をもたない、８または１６または２０戸のアパートを有するような、より小規模な住宅用建物の場合、設置するのにピアツーピア配線のほうがはるかに複雑であるとしても、単一のツイストペアの代わりに、標準的なＣＡＴ５ケーブルを設置することが、可能である。
【０２２１】
上の言及は、ＣＡＴ５のどのツイストペアが与えられた１または複数の信号のうちのどれを伝搬させることができるかは、選択上の問題であること、および１または複数の信号は、４つのツイストペアを介して、好ましくはＤＣ電力供給とともに、または電力供給を伴わずに、伝搬させられることを示唆していることに留意されたい。さらに、選択上の問題として、ＣＡＴ５ケーブルは、１つのツイストペアの代わりに、２つのペアまたは３つのペアを使用するなど、部分的に使用されることができ、それは、本発明の好ましい実施形態である。
【０２２２】
同様に、建物またはアクセス制御のエントリパネルからのビデオ信号伝搬は、同軸ケーブルを介して伝搬させられ、ルーティングまたはスイッチングされることができ、オーディオ信号は、シールドワイヤまたはケーブルを介して伝搬させられることができるそのような構成では、図１のオーディオ変成器１４２および図４のオーディオ変成器２４２は、必要ではなく、ビデオ信号が、同軸ケーブルを介して伝搬させられる場合、変調／復調１０２のＦＭ変調器、セレクタ１０４／２０４は、ビデオルータによって取って代わられる。
【０２２３】
同様に、図１２のテレビ受像機７０２の、ならびに図１３のセットトップボックス７０３およびｅショッピングボックス７０５などの異なるテレビボックスのショッピング端末は、アンテナケーブルのネットワークに、または光ファイバケーブル、マルチコアケーブル、および他の特別な専用ケーブルを介するケーブルＴＶ配信に接続され得る。
【０２２４】
図１２は、ｎ個のエントリパネル４００と、図１１Ａおよび図１１Ｂのショッピング回路２０を含む、ｎ個のビデオインターフォンモニタ７０１−１〜７０１−ｎと、図１１Ａおよび図１１Ｂのショッピング回路２０を含むｎ個のテレビ受像機７０２−１〜７０２−ｎと、ビデオインターフォン７０１のために使用される回路に類似した、よく知られたビデオインターフォン回路とを備える、建物のビデオインターフォンシステム７００を示している。ビデオインターフォンモニタ７０１およびテレビ受像機７０２の各々は、単一のツイストペア１０を介して、メインルータまたはマトリックスユニット６００、６５０、６７０、または６９０に接続される。
【０２２５】
メインルータまたはマトリックスユニットは、システムＣＰＵ５３５を介して、および相互接続線７を介して、サーバ８に接続されてから、ネットワークインターフェース線６を介して、ネットワーク５に接続されるものとして、さらに示されている。
【０２２６】
ネットワーク５は、ｅ管理人センタ３０、１または複数のｅショップ３１、１または複数のｅサービス３２、ｅ銀行またはクレジットファシリティ３３、緊急サービス３４、警報モニタリングおよびサポート３５、スマートグリッドによる電力消費報告および制御３６から選択される、示されたサービスおよび商品プロバイダに接続される仮想プライベートネットワーク（ＶＰＮ）を含む。
【０２２７】
示されたサービスおよび商品ならびに他の言及されたオンラインプロバイダおよび機関は、上で説明された回路１００、１９０、２００、２９０を使用する、内部通信線を含む建物のインフラストラクチャに、ネットワーク５およびシステムサーバ８を介して、導入および接続されることができる、多くの様々なｅショッピングおよびｅサービスのプロバイダおよび施設の代表または要約である。
【０２２８】
図に示されていないが、参照米国特許および係属中出願においてさらに開示されているように、建物の個々の各住人またはテナントに適合するように、プロバイダプログラムを保存および更新するために、サーバ８が、コンピューティングクラウドプロバイダに結び付けられることができることが、明白に明らかである。
【０２２９】
スマートグリッドを介する電力消費報告および制御３６についての言及を含むさらなる詳細は、米国特許（例えば、特許文献７、８、９、１０、１１、１２、１３、１４、１５、１６、１７、１８、１９、２０、２１、２２を参照）、および米国特許出願（例えば、特許文献２３、２４を参照）において提供されている。
【０２３０】
図１３は、エントリパネル４００およびビデオインターフォンモニタ７０１を有さない、図１２に示されるインフラストラクチャに類似した専用ｅショッピングインフラストラクチャを示している。代わりに、ショッピング端末２０、および回路２００または２９０は、ケーブルＴＶネットワーク８０１を、分配器８０２を介して、ケーブルテレビ７０４に接続する、セットトップボックス７０３内に含まれる。
【０２３１】
ショッピング回路２０は、回路２００または２９０を含むショッピングボックス７０５内にも含まれる。ショッピングボックス７０５は、地上テレビセット７０６を、アンテナ分配器８０４を介して、アンテナ７４０に接続する。回路２００または２９０を含む専用ショッピング端末７０７も示されている。
【０２３２】
上で言及されたｎ個の回路２００または２９０の各々は、図１Ａ〜図１Ｂ、図２Ａ〜図２Ｂ、図３Ａ〜図３Ｂ、および図４Ａ〜図４Ｂにおいても言及され、示された、端子１０Ａ、１０Ｂ、１１Ａ、１１Ｂを介する、単一のツイストペア１０−１、１０−２、１０−ｎを介して、メインユニット６００、６５０、６７０、または６９０の回路１００または１９０に接続される。相違は、図１２において示され、または言及された、エントリパネル、ならびにｍｉｃ．、ｓｐ．、およびインバウンドビデオまたはカメラ信号の排除である。
【０２３３】
それにも関わらず、アナログ信号が、示されていないとしても、上で説明されたように、ｍｉｃ．、ｓｐ．、およびインバウンドカメラ信号は、システムコントローラ５３５を介して、双方向ＦＳＫ信号によって、デジタル形式で伝搬させられることができ、よく知られたアクセス制御システム（図示されず）を介して、建物に入り、セットトップボックス７０３、ｅショッピングボックス７０５、および専用ショッピング端末７０７に含まれるものとして示されたｍｉｃ．７１１を介して、アパートまたはオフィスから、アクセス制御と通信することが可能である。
【０２３４】
ＣＡＴＶ７０４、地上ＴＶ７０６内の（図示されていないが、含まれる）スピーカ、および専用ショッピング端末７０７内に示されるスピーカ７１２。デジタルビデオ信号を生成するためのデジタルカメラが、示されていないが、それは、建物のアクセス制御とともに使用される、よく知られたカメラである。
【０２３５】
そのような構成によって、図１３に示されるシステムは、図１２に示されるシステムのすべての機能を有し、さらに、それは、本発明のｅショッピングを提供することができる表示および通信デバイスの範囲を、アンテナおよびケーブルＴＶボックス、ならびに文字通り任意のタイプのＴＶセット、または示されたボックス７０５などの任意のタイプのショッピングボックスを含む、多くの異なるセットトップボックスおよび／またはコンバータボックスを含むように拡大する。
【０２３６】
システムサーバ８は、図１１および図１２に示されたのと同じ方法で、線７を介してシステムコントローラ５３５に接続し、線６を介してネットワークに接続し、有線ネットワーク、ならびにＷｉＦｉ、Ｂｌｕｅｔｏｏｔｈ、および／またはモバイルなどの無線ネットワークと通信するための、特に、建物または集合建築物内に設けられた配送倉庫から配送を行っている配送要員と通信するための無線アンテナ５Ａをさらに含む。
【０２３７】
建物内または近所内に設けられた配送ステーションは、食料雑貨および生鮮または調理済食品のｅショッピングに影響する今も存在する問題および困難に対する明らかで明確な解決方法を提供する。特に生鮮食品および他の食料雑貨についてのより効率的な配送方法およびシステムを作成しようとする大規模スーパーマーケットによる試みは、例えば、３０分以内など、短い時間内での迅速な配送がまったく達成されないので、成功しなかった。
【０２３８】
設けられたｅショッピング配送ステーションまたは倉庫を介したそのような迅速な配送のための解決方法は、米国出願（例えば、特許文献５を参照）の３９ページ、３〜１２行において述べられている。それにも関わらず、建物の地下または建物の一室に設けられた配送ステーションそれ自体は、建物または集合建築物または近所内からの迅速な配送をもたらす迅速で簡単な処理および物流を可能にするように、ｅショッピングの概念全体が変更されない限り、迅速な配送を提供することができない。
【０２３９】
図１４は、住人８００が、ディスプレイ上に呼び出された図１１Ｂに示される表示ページ４６〜４９およびメモリバッファ２０８Ａ、図１３において専用ショッピング端末７０７としても示されるショッピング端末回路２０の操作およびタッチスクリーン２０９を介して、端末メモリ２０８内に保存された更新されたプログラムに基づいて、注文を完了する、建物７０内のインフラストラクチャを示している。
【０２４０】
選択プロセス中および注文が完了するまでずっと、ショッピング端末は、ショッピングモードで動作させられ、オンラインで通信を行わない。ショッピングおよび注文は、ショッピング端末自体の端末メモリ２０８内に保存された、更新されたプログラムおよびコンテンツに基づいて完了される。
【０２４１】
更新は、製品、それらの価格、入手可能性、および配送細目を常に更新された状態に保つための、連続的な、ランダムな、および／またはスケジュールされたストリームである。したがって、選択および注文プロセスは、更新されたデータによって提供されるように、配送用の在庫があり、示された価格で実際に入手可能な製品に基づいている。
【０２４２】
製品、配送、請求細目、および支払いの選択が完了すると、住人８００は、送信された注文８０２として示される完了した注文を、線１０を介して、メインユニット６００、６５０、６７０、または６９０に送信する。図１２および図１３に示されるメインユニットのＣＰＵ５３５は、注文を処理し、注文を詳述したインターフェース信号８０４を、インターフェースモジュール４４０および線７を介して、システムサーバ８に供給する。システムサーバは、受信された注文に関するデータ８０６を、線６を介して、およびＶＰＮとして示されたネットワーク５を介して、管理人センタ３０に伝搬させ、データは、与えられたネットワーク５のプロトコルに適合させられており、または整合させられている。
【０２４３】
ｅ管理人センタ３０は、本発明の閉回路ｅショッピングおよびｅサービスを登録し、操作し、制御するエンティティであり、ＶＰＮ内の８０８などのすべての取引は、ｅ管理人センタ３０によって記録され、確認される。注文は、確認されると、支払い処理のために、ｅ銀行およびクレジット３３に転送される。
【０２４４】
本発明のｅショッピングは、仮想プライベートネットワーク内の閉回路において動作しているので、すべての住人およびプロバイダは、銀行、クレジットカード、請求およびクレジットファシリティなど、すべての金融機関を含めて、すべて、ｅ管理人センタ３０によって登録された顧客および供給者である。そのような構成によって、住人は、自身をその場所と同定する必要がなく、供給ショップまたは配送ステーションは、すべて、登録され、記録されている。この構成は、支払い取引をシンプルにし、ｅ／銀行／クレジット３３は、支払いを確認し、確認された注文および支払い８１０をｅショップ３１に送る。
【０２４５】
さらに、示されたシステムサーバ８は図１４の建物７０内部または内に配置されることができるが、それは、注文処理および支払いを数分の１秒で完了するために、段階を追って行われる取引がすべて今日および将来の超高速のクラウドコンピューティング内で行われるように、ｅショッピングプログラムに参加する他のエンティティのサーバとともに、よく知られたクラウドコンピューティングサービス内に含まれるサーバであることができる。
【０２４６】
支払いが確認されると、元の注文８０２は、今度は８１２として示されるように、ｅショップサーバ３１から建物７０の地下Ｂ１  ７２に所在するｅショッピング配送ステーション６２に伝搬させられる。これは、建物内のアパートにいる住人８００に注文された商品を迅速に配送するために、配送員が注文された食料雑貨６８をカート６６に載せ、エレベータ７１に向かうように促す。
【０２４７】
サイクルを完了するために、住人は、事前に割り当てられたコードを無線配送タブレット８２０にタイプし、サーバ８のＷｉＦｉもしくはＢｌｕｅｔｏｏｔｈアンテナ５Ａを介して、または注文が行われたショッピング端末の示されたアンテナ５Ａを介して、伝達する。
【０２４８】
これは、ｅ銀行が、ｅショップ３１の貸方に、住人８００の借方に記入することによって、注文および支払いを完結させる。ｅショップは、在庫数を自動的に調整し、および／または中央倉庫に、建物７０の配送ステーション６２への次に計画されている配送の際に、売却された商品を補充するように命令し、もしくは場合によっては、例えば、売却された商品が、全在庫を枯渇させた、もしくは在庫を定められた最低レベルよりも減少させたために、即座の配送を命令する。
【０２４９】
注文された食料雑貨６８をカート６６に載せる上で言及された配送員は、困難から免れていないことがある。例えば、配送員８０９は、オレンジのパックの代わりに、レモンのパックを積み込むことがあり、誤りは、食料雑貨を住人８００に配送している最中に発見される。配送員は、配送ステーションに引き返し、パックを交換し、正しい商品を再配送しなければならず、それは、時間がかかり、全体として遅延を引き起こし、コストがかかるので、そのような誤りは、大きな苛立ち、時間の浪費、遅延を引き起こす。そのような誤りを回避するために、物流における積み込みおよび配送は、誤り防止策を伴った正確で効率的なものにされなければならない。
【０２５０】
別の重要なことは、配送員による注文の受注である。１または複数の受注された注文の紙へのプリントアウトは、通知ミス、処理ミス、および／または最初に受注された注文が最初に処理されるという順番の原理の違反をもたらし得る、紙の物理的な扱いを命じる。
【０２５１】
これが理由で、後で説明されるように、小規模な配送ステーションは、図１４および図１５Ａに示される無線配送タブレット８２０を通して直接的に注文が受注されるように操作することができるが、より大規模な配送ステーションは、好ましくは図１５Ｂに示された自動化スマートカート８５０を使用する。
【０２５２】
配送タブレット８２０およびスマートカート８５０両方の機能および特徴は、同様または同じであることができ、配送タブレット８２０は、ＣＰＵおよびメモリ（図示されず）と、表示および操作スクリーン８２２と、操作キー８２１と、バーコードリーダ８２３、前方および後方カメラ８２４／８２５、ＲＦＩＤリーダおよびアンテナ８２７、ＲＦ送受信機およびアンテナ８２８、ならびに注文／配送ステータスインジケータ８２６を備える、選択可能モジュールとを備える。スマートカート８５０の同等のアイテムは、ＣＰＵおよびメモリ（図示されず）と、表示および操作スクリーン８６２と、操作キー８６１と、バーコードリーダ８６３、前方および後方カメラ８６４／８６５、ＲＦＩＤリーダおよびアンテナ８６７、ＲＦ送受信機およびアンテナ８６８、ならびに注文／配送ステータスインジケータ８６６を備える、モジュールである。
【０２５３】
含まれる手順および物流は、ＷｉＦｉであれ、Ｂｌｕｅｔｏｏｔｈであれ、または他の無線ＲＦ信号および周波数であれ、ＲＦ送受信機およびアンテナを介して、注文を受注することを含み、注文詳細は、スクリーン８２２または８６２上に表示され、ステータスインジケータ８２６または８６６は、ステータスインジケータの色によって、または点滅するＬＥＤなどによって、注文が受注され、積み込みおよび配送を待っていることを示す。
【０２５４】
配送員８０９は、配送タブレット８２０またはスマートカート８６０を選ぶ。バーコードによって識別される商品の場合、配送員は、図１５Ｃに示される、棚であれ、収容庫であれ、もしくはラックであれ、貯蔵場所から取り出された、または冷蔵庫（図示されず）から取り出された、各品をスキャンし、スマートカート８５０または図１４の非インテリジェントカート６６もしくはバスケットにそれを入れる前に、バーコードリーダ８２３または８６３を介して、製品をスキャンする。ＲＦＩＤタグによって識別される品の場合、製品は、配送タブレット８２０のＲＦＩＤリーダアンテナ８２７によってスキャンされることができ、またはピックアップされた品をカートの収容スペース８５２内に単に入れることによって自動的にスキャンされることができる。
【０２５５】
ＲＦＩＤアンテナ８６７は、スマートカート８５０の上部縁を取り巻いており、カートに入れられる製品のＲＦＩＤタグの通過を自動的に検出する。バーコードスキャナまたはＲＦＩＤリーダが、注文された商品の１つとして製品を識別するたびに、スクリーン８２２または８６２上に表示される積み込まれた製品は、そのステータスを変化させ、インジケーションを「注文中」から「積み込み済」に変化させる。
【０２５６】
注文されていない製品をピックアップして、スキャンしようとする、または入れようとする試みは、間違った製品が積み込まれようとしており、カートに入れられる、または配送されるべきではないことを示す警告インジケーションで拒否される。与えられた注文について、製品または商品の積み込みが完了すると、インジケータは、配送待ちステータスを示す色にするなど、インジケーションを変化させ、次に進んで、注文された製品を住人に配送するように配送員を促す。
【０２５７】
物理的な配送が行われると、各品は、スマートカート８５０からの取り出し確認のために、または配送タブレット８２０による図１４の６６として示された非インテリジェントカートからの取り出し確認のために、スキャンされ、ディスプレイ上の注文リスト内の各品は、取り出された製品または商品であることを示す。注文中のすべての品が配送されると、図１４の住人８００は、完了された配送について、事前に割り当てられた配送完了コードをタイプし、注文は、完結し、支払いは、処理され、ｅプロバイダの在庫は、上で言及されたように調整される。
【０２５８】
配送時に誰が受取人かの証拠を含む一時ファイルを生成するために、受け取った住人を写真に撮り、記録するためのカメラ８２４／８２５、８６４／８６５が、導入される。
【０２５９】
別の重要な点は、小規模配送ステーションであれ、または大規模配送ステーションであれ、同時に受注された配送注文の扱いであり、そのような各ステーションは、好ましくは、最初に受注された注文が最初に処理されること（先入れ先出し）に適合した順序で動作するようにすべてがプログラムされた複数の配送タブレット８２０および／またはスマートカート８５０を提供される。２以上の配送員がステーションにいる場合、注文は、受注された順序で、同時に処理される。プログラムされたような受注順序に違反して注文を処理しようとする試みは、処理されることができず、誤りを知らせるインジケーションが、鳴らされ、および／または表示される。
【０２６０】
スマートカート８５０は、商品をエレベータで運ぶのに適した形状である四角形で示されていることに留意されたい。折り畳みテーブル８５３、ハンドル８５１、および配送ユニット８６０は、単にスマートカート８５０のイメージを提供するためのものであり、サイズおよび／または形状について正確には示されてはいない。
【０２６１】
最後の重要な点は、スマートカート８５０および配送タブレット８２０のための電力源である。好ましい実施形態は、スマートカート８５０または配送タブレット８２０が使用されておらず、駐車場所のカートのための割り当てられた充電器（図示されず）に、およびスタンド（図示されず）上の配送タブレットにアタッチまたはプラグ接続されているときは常に、連続的に充電されている再充電可能バッテリ（図示されず）を使用する。
【０２６２】
図１５Ｃは、商品の例として食料雑貨を貯蔵するためのイラストで示された自動化ラック８８０を示している。示されたすべての収容庫が、同一であるとは限らず、例えば、パン収容庫８８１−１は、前面ガラスによってカバーされている。同様のカバーは、果物を収容している収容庫８８１−２、８８１−３にも提供される。
【０２６３】
他の収容庫８８２−１〜８８２−６は、ボトル、缶、広口ビン、またはカートンボックスなどの頑丈なパッケージを収容し、カバーによる保護を必要としない。
【０２６４】
しかしながら、収容庫の各々は、仕掛かり注文、注文した住人、ならびに例として、数量、価格、および配送員がラックの近くにいない場合の配送時間などの他の細目を識別するための、インジケータ８７６のグループによって強化されたディスプレイ８７２を備える、製品、在庫数、および仕掛かり注文を識別するための懸垂型または取り付け型のタブレット８７０を含む。各収容庫は、図１４の配送ステーションサーバ６５と、および／または配送タブレット８２０、配達ユニット８６０と、もしくは図１４の配送ステーションサーバ６５と通信するための、バーコードリーダ８７３、ＲＦＩＤリーダ８７７、ならびにＲＦ送受信機およびアンテナ８７８をさらに提供される。
【０２６５】
ビルトイン型の、または懸垂式で取り付けられた、もしくは他の方法で取り付けられたタブレット８７０は、ＣＰＵおよびメモリ（図示されず）と、新しい入庫品、返品された商品を処理するための、在庫レベルを削除、入力、調整するための、ならびに収容庫、棚、パレット、スタンド、カート、バスケット、容器、または冷蔵庫、冷凍庫、もしくは調理済食品のための保温庫および／もしくは加熱庫などの他の貯蔵庫などの在庫を処理するために必要とされる他の任意の動作モードのための操作キーおよび／またはタッチスクリーンとをさらに備える。
【０２６６】
そのすべてが互いに、および配送ステーションのサーバ６５と、および注文した住人サイトのショッピング端末と通信する配達タブレット８２０と配達ユニット８６０を含む、スマート棚、自動化ラック８８０、収容庫、又はキャビネット、および他のスマート貯蔵施設のサポートを得て、配送プロセスは、誤り防止、効率性、および時間通りの配送に関して、大幅にアップグレードされる。
【０２６７】
図１４のＶＰＮネットワーク５の示された閉回路ｅコマースエンティティは、建物サーバ８と、閉回路ｅコマースエンティティを制御するサーバであるｅ管理人センタ３０と、ｅ銀行およびクレジット３３と、ｅショップ３１とを含む。図１４の閉回路ｅコマースは、図１２および図１３の示されたエンティティよりも小さい閉回路ｅショッピングエンティティを表している。商業、ライフスタイル、および支援の多くの分野に閉回路ｅコマースを拡大するために、サービス３２、ショップ３１、金融３３、緊急３４、および／もしくは電力消費報告３６、ならびに／または他の多くのサービスおよび商品プロバイダが、追加されることができることは、明白である。
【０２６８】
他方、必ずしもすべてのシステムが、大規模であり、サービスおよび商品のあらゆる面をカバーする必要があるわけではない。いくつかのシステムは、特定のｅコマース活動のために設計および作製され得る。例えば、食料雑貨または医薬品またはオフィス用品のプロバイダは、建物または近所内の配送を促進するための１つまたは２つの配送ステーションを介して、大規模な住居用またはオフィス用ビルのための単一の倉庫ユニットを操作し得る。そのようなプロバイダ管理は、特定の閉回路ｅコマースを管理し、示されたｅ管理人センタ３０に取って代わることができる。
【０２６９】
したがって、食料雑貨などの、特定のｅコマース活動については、ｅ管理人センタは、必要とされないことがあり、使用されない。同様に、ネットワーク５は、図１４に示されるＶＰＮの代わりに、専用ネットワーク５であることができる。さらに、そのような特定の操作または制限された操作については、プロバイダが、管理、クレジット、および支払いを処理することができ、閉回路ｅコマースエンティティ内に含まれない、銀行／クレジットプロバイダ３３を必要としないことがある。
【０２７０】
これは、小規模であり、または選択が制限されるが、上で開示された回路およびプロセスを用いて有効にまた効率的に動作することができる、特定のｅコマースエンティティを形成する、専用またはプライベートネットワーク５を介して動作する、２つのサーバ８、３１だけを残す。
【０２７１】
もちろん、上述の開示は、もっぱら本発明の好ましい実施形態に関し、それは、開示の目的で選択された本明細書における本発明の例のすべての変化および変更を包含することが意図されており、その変更は、本発明の主旨および範囲からの逸脱を構成しないことを理解されたい。
【図１Ａ】
2018014112.tif 000011
【図１Ｂ】
2018014112.tif 000012
【図２Ａ】
2018014112.tif 000013
【図２Ｂ】
2018014112.tif 000014
【図３Ａ】
2018014112.tif 000015
【図３Ｂ】
2018014112.tif 000016
【図４Ａ】
2018014112.tif 000017
【図４Ｂ】
2018014112.tif 000018
【図５Ａ】
2018014112.tif 000019
【図５Ｂ】
2018014112.tif 000020
【図６Ａ】
2018014112.tif 000021
【図６Ｂ】
2018014112.tif 000022
【図７】
2018014112.tif 000023
【図８】
2018014112.tif 000024
【図９】
2018014112.tif 000025
【図１０】
2018014112.tif 000026
【図１１Ａ】
2018014112.tif 000027
【図１１Ｂ】
2018014112.tif 000028
【図１２】
2018014112.tif 000029
【図１３】
2018014112.tif 000030
【図１４】
2018014112.tif 000031
【図１５Ａ】
2018014112.tif 000032
【図１５Ｂ】
2018014112.tif 000033
【図１５Ｃ】
2018014112.tif 000034